(57)【特許請求の範囲】
【請求項１】
(a1)下記を具備する、無線通信のための方法：
(a2)第１の時間間隔において第１の基地局からオーバーヘッドチャネルを受信すること、(a3)前記オーバーヘッドチャネルは、前記第１の時間間隔と重複していない第２の時間間隔において第２の基地局から送信される；
(a4)ここにおいて前記第２の基地局は、前記第１の時間間隔を具備するサブフレームを、マルチキャスト・ブロードキャスト・マルチメディア・サービス（ＭＢＭＳ）単一周波数ネットワーク（ＭＢＳＦＮ）のサブフレームとして設定し、前記サブフレーム中の前記ＭＢＳＦＮのサブフレームに対しては制御情報を送信し、および前記サブフレームの残りの部分においては送信しない、
(a5)ここにおいて、前記オーバーヘッドチャネルは前記サブフレーム中で送信される;および
(a6)前記第１の基地局に対する情報を回復するために、前記第１の基地局からの前記オーバーヘッドチャネルを処理すること。
【請求項２】
下記を具備する、無線通信のための方法：
第１の基地局に対する情報を具備しているオーバーヘッドチャネルを生成すること； 
第１の時間間隔において前記第１の基地局から前記オーバーヘッドチャネルを送信すること、前記オーバーヘッドチャネルは、前記第１の時間間隔と重複していない第２の時間間隔において第２の基地局から送信されている；
前記第２の時間間隔を具備するサブフレームを、マルチキャスト・ブロードキャスト・マルチメディア・サービス（ＭＢＭＳ）単一周波数ネットワーク（ＭＢＳＦＮ）のサブフレームとして設定すること；
前記サブフレーム中の前記ＭＢＳＦＮのサブフレームに対して制御情報を送信すること；および
前記サブフレームの残りの部分においては送信しないこと。
【請求項３】
下記を具備する、無線通信のための装置：
第１の時間間隔において第１の基地局からオーバーヘッドチャネルを受信するための手段、前記オーバーヘッドチャネルは、前記第１の時間間隔と重複していない第２の時間間隔において第２の基地局から送信される；
ここにおいて前記第２の基地局は、前記第１の時間間隔を具備するサブフレームを、マルチキャスト・ブロードキャスト・マルチメディア・サービス（ＭＢＭＳ）単一周波数ネットワーク（ＭＢＳＦＮ）のサブフレームとして設定し、前記サブフレーム中の前記ＭＢＳＦＮのサブフレームに対しては制御情報を送信し、および前記サブフレームの残りの部分においては送信しない、
ここにおいて、前記オーバーヘッドチャネルは前記サブフレーム中で送信される;および
前記第１の基地局に対する情報を回復するために、前記第１の基地局からの前記オーバーヘッドチャネルを処理するための手段。
【請求項４】
下記を具備する、無線通信のための装置：
少なくとも１つのプロセッサ、前記少なくとも１つのプロセッサは、下記を行うように構成される：
第１の時間間隔において第１の基地局からオーバーヘッドチャネルを受信すること、前記オーバーヘッドチャネルは、前記第１の時間間隔と重複していない第２の時間間隔において第２の基地局から送信される；および
ここにおいて前記第２の基地局は、前記第１の時間間隔を具備するサブフレームを、マルチキャスト・ブロードキャスト・マルチメディア・サービス（ＭＢＭＳ）単一周波数ネットワーク（ＭＢＳＦＮ）のサブフレームとして設定し、前記サブフレーム中の前記ＭＢＳＦＮのサブフレームに対しては制御情報を送信し、および前記サブフレームの残りの部分においては送信しない、
ここにおいて、前記オーバーヘッドチャネルは前記サブフレーム中で送信される;および
前記第１の基地局に対する情報を回復するために、前記第１の基地局からの前記オーバーヘッドチャネルを処理する。
【請求項５】
下記を記録する、コンピュータ読み取り可能な記録媒体：
少なくとも１つのコンピュータに、第１の時間間隔において第１の基地局からオーバーヘッドチャネルを受信させるためのコード、前記オーバーヘッドチャネルは、前記第１の時間間隔と重複していない第２の時間間隔において第２の基地局から送信される；
ここにおいて前記第２の基地局は、前記第１の時間間隔を具備するサブフレームを、マルチキャスト・ブロードキャスト・マルチメディア・サービス（ＭＢＭＳ）単一周波数ネットワーク（ＭＢＳＦＮ）のサブフレームとして設定し、前記サブフレーム中の前記ＭＢＳＦＮのサブフレームに対しては制御情報を送信し、および前記サブフレームの残りの部分においては送信しない、
ここにおいて、前記オーバーヘッドチャネルは前記サブフレーム中で送信される;および
前記少なくとも１つのコンピュータに、前記第１の基地局に対する情報を回復するための、前記第１の基地局からの前記オーバーヘッドチャネルを処理させるためのコード。
【請求項６】
下記を具備する、無線通信のための装置：
第１の基地局に対する情報を具備しているオーバーヘッドチャネルを生成するための手段； 
第１の時間間隔において前記第１の基地局から前記オーバーヘッドチャネルを送信するための手段、前記オーバーヘッドチャネルは、前記第１の時間間隔と重複していない第２の時間間隔において第２の基地局から送信されている；
前記第２の時間間隔を具備するサブフレームを、マルチキャスト・ブロードキャスト・マルチメディア・サービス（ＭＢＭＳ）単一周波数ネットワーク（ＭＢＳＦＮ）のサブフレームとして設定するための手段；
前記サブフレーム中の前記ＭＢＳＦＮのサブフレームに対して制御情報を送信するための手段；および
前記サブフレームの残りの部分においては送信しないための手段。
【請求項７】
下記を具備する、無線通信のための装置：
少なくとも１つのプロセッサ、前記少なくとも１つのプロセッサは、下記を行うように構成される：
第１の基地局に対する情報を具備しているオーバーヘッドチャネルを生成すること； 
第１の時間間隔において前記第１の基地局から前記オーバーヘッドチャネルを送信すること、前記オーバーヘッドチャネルは、前記第１の時間間隔と重複していない第２の時間間隔において第２の基地局から送信されている；
前記第２の時間間隔を具備するサブフレームを、マルチキャスト・ブロードキャスト・マルチメディア・サービス（ＭＢＭＳ）単一周波数ネットワーク（ＭＢＳＦＮ）のサブフレームとして設定すること；
前記サブフレーム中の前記ＭＢＳＦＮのサブフレームに対して制御情報を送信すること；および
前記サブフレームの残りの部分においては送信しないこと。
【請求項８】
下記を具備する、コンピュータ読み取り可能な記録媒体：
少なくとも１つのコンピュータに、第１の基地局に対する情報を具備しているオーバーヘッドチャネルを生成させるためのコード； 
前記少なくとも１つのコンピュータに、第１の時間間隔において前記第１の基地局から前記オーバーヘッドチャネルを送信させるためのコード、前記オーバーヘッドチャネルは、前記第１の時間間隔と重複していない第２の時間間隔において第２の基地局から送信されている；
前記少なくとも１つのコンピュータに、前記第２の時間間隔を具備するサブフレームを、マルチキャスト・ブロードキャスト・マルチメディア・サービス（ＭＢＭＳ）単一周波数ネットワーク（ＭＢＳＦＮ）のサブフレームとして設定させるためのコード；
前記少なくとも１つのコンピュータに、前記サブフレーム中の前記ＭＢＳＦＮのサブフレームに対して制御情報を送信させるためのコード；および
前記少なくとも１つのコンピュータに、前記サブフレームの残りの部分においては送信しないためのコード。
【発明の詳細な説明】
【関連技術】
【０００１】
本出願は、本出願人にその権利が譲渡され、本願において参考文献とされている仮米国特許出願第６１／０４３１０２号（２００８年４月７日に出願された「ＲＡＮＧＥ  ＥＸＴＥＮＳＩＯＮ  ＷＩＴＨ  ＴＩＭＩＮＧ  ＯＦＦＳＥＴ」）、および仮米国特許出願第６１／０５５１３０号（２００８年５月２１日に出願された「ＬＯＮＧ  ＴＥＲＭ  ＩＮＴＥＲＦＥＲＥＮＣＥ  ＡＶＯＩＤＡＮＣＥ  ＷＩＴＨ  ＦＯＲＷＡＲＤ  ＬＩＮＫ  ＣＯＮＴＲＯＬ  ＢＬＡＮＫＩＮＧ」）、の両者に基づいて優先権を主張している。
【技術分野】
【０００２】
本開示は、一般に通信に関するものであり、そしてより明確には無線通信ネットワークにおいて複数のオーバーヘッドチャネルを送信するための複数の技術に関するものである。
【背景技術】
【０００３】
無線通信ネットワークは、音声、ビデオ、パケットデータ、伝達、放送等のような様々な通信内容を提供するために広く展開される。これらの無線ネットワークは、利用可能な複数のネットワーク資源を共有することによりマルチプルなユーザを支援することが可能であるマルチプルアクセスのネットワークであることができる。そのようなマルチプルアクセスのネットワークの複数の例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワークおよび単一キャリアのＦＤＭＡ（ＳＣ−ＦＤＭＡ）ネットワークを含む。
【０００４】
無線通信ネットワークは、多くのユーザ機器（ＵＥｓ）に対する通信をサポートすることができる多くの基地局を含むことができる。基地局は、そのカバレッジ内の複数のＵＥに対して様々なオーバーヘッドチャネルを送信することができる。該基地局からの該複数のオーバーヘッドチャネルは、隣の複数の基地局からの複数の送信に起因する干渉を観測することができる。この干渉は、いくつかのＵＥでは強いことがあり、およびこれらＵＥのパフォーマンスを劣化し得る。従って、パフォーマンスを向上するために、複数のオーバーヘッドチャネル上の干渉を緩和する複数の技術に対する必要性が、当該技術分野においてある。
【発明の概要】
【０００５】
無線通信ネットワークにおける複数のオーバーヘッドチャネル上の干渉を緩和するための複数の技術がここに記述される。基地局は、そのカバレッジ内の複数のＵＥに対して様々なオーバーヘッドチャネルを送信することができる。オーバーヘッドチャネルは、ネットワークのオペレーションをサポートするために使用される信号あるいはチャネルの何れを具備することができ、ならびに全てのＵＥに送信されることができる。例えば、オーバーヘッドチャネルは、ブロードキャストのチャネル、制御のチャネル、同期のチャネル、ページングのチャネル等であることができる。チャネルはまた、信号、送信等として参照されることができる。
【０００６】
ある観点では、該オーバーヘッドチャネル上の干渉は、（ｉ）重複していない複数の時間間隔において異なる複数の基地局から該複数のオーバーヘッドチャネルを伝送すること、および（ii）各々の干渉している基地局が、該複数のオーバーヘッドチャネルが隣の複数の基地局によって伝送される該複数の時間間隔の間中に、その送信するパワーを減らすようにすること、によって緩和されることができる。これは、支配的な（dominant）干渉のシナリオにおいてさえ、複数のＵＥに、複数の基地局からの該複数のオーバーヘッドチャネルを確実に受信することを可能にすることができる。
【０００７】
１つの設計では、ＵＥは、第１の時間間隔において第１の基地局からオーバーヘッドチャネルを受信することができる。該オーバーヘッドチャネルは、第１の時間間隔とは重複していない第２の時間間隔において、第２の基地局から送信されることができる。該ＵＥは、第１の基地局に対する情報を回復するために、第１の基地局からの該オーバーヘッドチャネルを処理することができる。
【０００８】
第１の基地局は第１のフレームのタイミングを有することができ、および第２の基地局は、第２のフレームのタイミングを有することができる。１つの設計では、第１のフレームのタイミングは、複数のサブレームの整の数だけ第２のフレームのタイミングからオフセットされることができる。この設計では、第１および第２の複数の時間間隔は、第１および第２のフレームのタイミングに基づいて決定される該同じサブフレームのインデックスを有する、重複していない複数のサブフレーム中に属することができる。別の設計では、第１のフレームのタイミングは、複数のシンボルの期間の整の数だけ第２のフレームのタイミングからオフセットされることができる。この設計では、第１および第２の複数の時間間隔は、第１および第２のフレームのタイミングに基づいて決定される該同じシンボルの期間のインデックスを有する、重複していない複数のシンボルの期間をカバーすることができる。なお別の設計では、第１のフレームのタイミングは、複数のサブフレームの整の数および複数のシンボルの期間の整の数だけ、第２のフレームのタイミングからオフセットされることができる。この設計では、第１および第２の複数の時間間隔は、該同じサブフレームのインデックスを有する重複していない複数のサブフレーム中に属することができ、あるいは該同じシンボルの期間のインデックスを有する重複していない複数のシンボルの期間をカバーすることができる。なお別の設計では、第１および第２の複数の基地局は、該同じフレームのタイミングを有することができ、ならびに第１および第２の複数の時間間隔は、異なるシンボルの期間の複数のインデックスを有する重複していない複数のシンボルの期間をカバーすることができる。第１および第２の複数の時間間隔はまた、他の複数の仕方において記述されることができる。
【０００９】
１つのシナリオでは、第１の基地局は低いパワーの基地局であることができ、そして第２の基地局は高いパワーの基地局であることができる。別のシナリオでは、第１の基地局は制限されないアクセスを有することができ、そして第の基地局は制限されるアクセスを有することができる。両方のシナリオにおいて、第２の基地局は、第１の基地局からの該オーバーヘッドチャネルに対する干渉を減らすために、第１の時間間隔の間中にその送信するパワーを減らすことができる。第１の基地局もまた、第２の基地局からの該オーバーヘッドチャネルに対する干渉を減らすために、第２の時間間隔の間中にその送信するパワーを減らすことができる。
【００１０】
またここに記述される該複数の技術は、基準の複数の信号／複数のパイロットおよびことによると複数のデータチャネルの上の干渉を緩和するために使用されることができる。本開示の様々な観点および特徴は、更に詳細に下に記述される。
【図面の簡単な説明】
【００１１】
【図１】図１は、無線通信ネットワークを示す図。
【図２】図２は、フレーム構成の例を示す図。
【図３】図３は、２つの基地局による複数のオーバーヘッドチャネルの送信を示す図。
【図４Ａ】図４Ａは、サブフレームのオフセットを用いた複数のオーバーヘッドチャネルの送信を示す図。
【図４Ｂ】図４Ｂは、サブフレームのオフセットを用いた複数のオーバーヘッドチャネルの送信を示すもう１つの図。
【図５Ａ】図５Ａは、シンボルのオフセットを用いた複数のオーバーヘッドチャネルの送信を示す図。
【図５Ｂ】図５Ｂは、シンボルのオフセットを用いた複数のオーバーヘッドチャネルの送信を示すもう１つの図。
【図６】図６は、サブフレームのオフセットとシンボルのオフセットを用いた複数のオーバーヘッドチャネルの送信を示す図。
【図７】図７は、時分割多重化方式（ＴＤＭ）を用いた複数のオーバーヘッドチャネルの送信を示す図。
【図８】図８は、オーバヘッドチャネルを受信するためのプロセスを示す図。
【図９】図９は、オーバヘッドチャネルを受信するための装置を示す図。
【図１０】図１０は、オーバヘッドチャネルを送信するためのプロセスを示す図。
【図１１】図１１は、オーバヘッドチャネルを送信するための装置を示す図。
【図１２】図１２は、基地局とＵＥを示すブロック図。
【発明を実施するための形態】
【００１２】
ここに記述される該複数の技術は、ＣＤＭＡ、ＴＤＭＡ、ＦＤＭＡ、ＯＦＤＭＡ、ＳＣ−ＦＤＭＡおよび他のネットワークのような、様々な無線通信ネットワークのために使用されることができる。「ネットワーク」および「システム」という用語はしばしば置換可能に使用される。ＣＤＭＡネットワークは、ユニバーサル地上ラジオアクセス（ＵＴＲＡ）、ｃｄｍａ２０００等のような無線技術を実施することができる。ＵＴＲＡは、広帯域ＣＤＭＡ（ＷＣＤＭＡ（登録商標））およびＣＤＭＡのその他の複数の変形を含む。ｃｄｍａ２０００は、ＩＳ−２０００、ＩＳ−９５およびＩＳ−８５６規格をカバーする。ＴＤＭＡネットワークは、汎ヨーロッパディジタル移動通信システム（ＧＳＭ）（登録商標）のような無線技術を実施することができる。ＯＦＤＭＡネットワークは、発展型ＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実施することができる。ＵＴＲＡおよびＥ−ＵＴＲＡは、ユニバーサル・モバイル・テレコミュニケーション・システム（ＵＭＴＳ）の一部である。３ＧＰＰロング・ターム・エボリューション（ＬＴＥ：Long Term Evolution）およびＬＴＥ−アドバンスド（ＬＴＥ−Ａ：LTE-Advanced）は、ダウンリンクではＯＦＤＭＡを使用し、アップリンクではＳＣ−ＦＤＭＡを使用する、Ｅ−ＵＴＲＡを用いるＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナシップ計画」（３ＧＰＰ）と命名された組織からの複数の文書に記載されている。ｃｄｍａ２０００およびＵＭＢは、「第３世代パートナシップ計画２」（３ＧＰＰ２）と命名された組織からの複数の文書に記載されている。ここに記述される該複数の技術は、他の無線ネットワークおよび無線技術と同様に、上に言及された無線ネットワークおよび無線技術に対しても使用されることができる。明確さのために、該複数の技術のある複数の観点が、ＬＴＥのために下に記述され、またＬＴＥの用語は、該下の記述の多くの中で使用される。
【００１３】
図１は、ＬＴＥネットワークまたは幾つかの他のネットワークであることができる無線通信ネットワーク１００を示す。無線ネットワーク１００は、多くの発展型ノードＢ（ｅＮＢｓ）１１０およびその他のネットワークの複数のエンティティ（entities）を含むことができる。ｅＮＢは、該複数のＵＥと通信する局であることができ、そしてまた基地局、ノードＢ、アクセスポイント等として参照されることができる。各ｅＮＢ  １１０は、特定の地理的なエリアに対する通信のカバレッジを提供する。用語「セル」は、該用語が使用される文脈に応じて、ｅＮＢのカバレッジのエリアおよび／またはこのカバレッジのエリアをサービスする（serving）ｅＮＢサブシステムを指すことができる。
【００１４】
ｅＮＢは、マクロセル、ピコセル、フェムトセルおよび／または他のタイプのセルのための通信のカバレッジを提供することができる。マクロセルは、比較的大きな地理的なエリア（例えば、半径において数キロメーター）をカバーすることができ、またサービスの申し込みをした複数のＵＥによる制限のないアクセスを可能にすることができる。ピコセルは、比較的小さな地理的なエリアをカバーすることができ、またサービスの申し込みをした複数のＵＥによる制限のないアクセスを可能にすることができる。フェムトセルは、比較的小さな地理的なエリア（例えば、ホーム）をカバーすることができ、また例えば，限定加入者グループ（ＣＳＧ）に属している複数のＵＥのような、該フェムトセルと関連を持っている複数のＵＥによる制限されるアクセスを可能にすることができる。マクロセル用のｅＮＢは、マクロｅＮＢとして称されることができる。ピコセル用のｅＮＢは、ピコｅＮＢとして称されることができる。フェムトセル用のｅＮＢは、フェムトｅＮＢまたはホームｅＮＢとして称されることができる。図１に示される該例において、ｅＮＢ  １１０ａ、１１０ｂおよび１１０ｃは、それぞれマクロセル１０２ａ、１０２ｂおよび１０２ｃのための複数のマクロｅＮＢであることができる。ｅＮＢ  １１０ｘは、ピコセル１０２ｘのためのピコｅＮＢであることができる。ｅＮＢ  １１０ｙは、フェムトセル１０２ｙのためのフェムトｅＮＢであることができる。異なるタイプの複数のｅＮＢは、異なる送信するパワーレベルを有することができる。例えば、複数のマクロｅＮＢは、高い送信するパワーレベル（例えば、２０ワット）を有することができるのに対して、ピコおよびフェムトの複数のｅＮＢは、低い送信するパワーレベル（例えば、１ワット）を有することができる。
【００１５】
無線ネットワーク１００はまた、複数の中継局を含むことができる。中継局は、アップストリーム（upstream）の局からのデータおよび／または他の情報の送信を受信する局であり、ならびにダウンストリーム（downstream）の局へ該データおよび／または他の情報の送信を伝送する局である。アップストリームの局は、ｅＮＢ、別の中継局あるいはＵＥであることができる。ダウンストリームの局は、ＵＥ、別の中継局あるいはｅＮＢであることができる。中継局はまた、他の複数の端末のための送信を中継する端末であることができる。
【００１６】
ネットワーク制御装置１３０は、複数のｅＮＢのセットに結合されることができ、そしてこれらのｅＮＢに対して調整と制御を提供する。ネットワーク制御装置１３０は、単一のネットワークのエンティティあるいはネットワークの複数のエンティティの集まりであることができる。ネットワーク制御装置１３０は、バックホールを介して複数のｅＮＢ  １１０と通信することができる。複数のｅＮＢ  １１０はまた、例えば、無線あるいは有線のインターフェースを介して直接的にあるいは間接的に互いに通信し合うことができる。
【００１７】
複数のＵＥ  １２０は、該無線ネットワークの全体にわたって分散されることができ、また各ＵＥは、固定あるいは移動可能であることができる。ＵＥはまた、移動局、端末、アクセス端末、加入者ユニット、局等として参照されることができる。ＵＥは、携帯電話、携帯情報端末（ＰＤＡ）、無線のモデム、無線通信デバイス、ハンドヘルドデバイス、ラップトップコンピュータ、コードレス電話、無線ローカル・ループ（ＷＬＬ）局等であることができる。ＵＥは、ダウンリンクおよびアップリンクを介してｅＮＢと通信することができる。該ダウンリンク（または順方向リンク）は、該ｅＮＢから該ＵＥへの通信リンクを指し、また該アップリンク（または逆方向リンク）は、該ＵＥから該ｅＮＢへの通信リンクを指す。図１では、単一の矢印のついた実線は、ｅＮＢからＵＥへの望ましい（desired）送信を示す。単一の矢印のついた点線は、ｅＮＢからのＵＥに対する干渉する送信を示す。アップリンクの複数の送信は、単純さのために図１に示されない。
【００１８】
図２は、ＬＴＥにおいて使用されるフレーム構成を示す。該ダウンリンクのための送信のタイムライン(transmission timeline)は、複数の無線のフレーム（radio frames）の複数のユニットへ分割されることができる。各無線のフレームは、所定の持続期間（例えば、１０ミリセカンド（ｍｓ））を有することができ、そして０から９までの複数のインデックスがついた１０のサブフレームへ分割されることができる。各サブフレームは、２つのスロット（slots）を含むことができる。各無線のフレームは、このように０から１９までの複数のインデックスがついた２０のスロットを含むことができる。各スロットは、Ｌのシンボルの期間、例えば、（図２に示されるような）標準の（normal）周期的なプレフィックス（cyclic prefix）のためにはＬ＝７のシンボルの期間、あるいは拡張された周期的なプレフィックスのためにはＬ＝６のシンボルの期間を含むことができる。各サブフレーム中の該２Ｌのシンボルの期間は、０から２Ｌ−１までの複数のインデックスを割り当てられることができる。
【００１９】
ＬＴＥでは、図２に示されるように、標準の周期的なプレフィックスを有する各無線のフレーム中のサブフレーム０および５の各々の中で、主要な同期信号（「ＰＳＣ」として示される）および副次的な同期信号（「ＳＳＣ」として示される）は、それぞれシンボルの期間６および５の中で伝送されることができる。該複数の同期信号は、取得（acquisition）−のために該複数のＵＥによって使用されることができる。物理的なブロードキャストのチャネル（ＰＢＣＨ）は、４つの連続的な無線のフレームのスロット１における４つのシンボルの期間において伝送されることができる。ＰＢＣＨは、ブロードキャストのチャネル（ＢＣＨ）を運ぶことができ、それは更に、資源のブロックの数、送信するアンテナの数、システムのフレームの番号、他のシステム情報等を含むマスタ情報のブロック（ＭＩＢ）を運ぶことができる。
【００２０】
物理的な制御のフォーマットのインディケータのチャネル（ＰＣＦＩＣＨ）、物理的なダウンリンクの制御のチャネル（ＰＤＣＣＨ）、および物理的なＨＡＲＱのインディケータのチャネル（ＰＨＩＣＨ）は、各サブフレームの最初のＭの複数のシンボルの期間において伝送されることができる、ここにおいて１≦Ｍ≦３であるところの。単純さのため、ＰＣＦＩＣＨのみが図２に示される。ＰＣＦＩＣＨは、ＰＤＣＣＨのために使用される複数のＯＦＤＭのシンボルを運ぶことができる。ＰＤＣＣＨは、複数のＵＥのためおよびダウンリンクの複数のチャネルのための資源割振りについての情報を運ぶことができる。ＰＨＩＣＨは、ハイブリッドの自動再送（ＨＡＲＱ：hybrid automatic retransmission）をサポートするための情報を運ぶことができる。該複数の同期信号、ＰＢＣＨ、ＰＣＦＩＣＨ、ＰＤＣＣＨおよびＰＨＩＣＨは、異なるタイプのオーバーヘッドチャネルとして見なされることができる。他の複数のオーバーヘッドチャネルもまた、該ダウンリンク上で伝送されることができる。ＬＴＥにおける該複数のオーバーヘッドチャネルは、「発展型ユニバーサル地上ラジオアクセス（Ｅ−ＵＴＲＡ）；物理的なチャネルおよび変調」と題された、３ＧＰＰ  ＴＳ  ３６．２１１の中に記載され、それは公的に利用可能である。
【００２１】
図３は、同期網における２つのｅＮＢ  ＡおよびＢによるオーバーヘッドチャネルの送信を示す。該複数のｅＮＢは、同期網において該同じフレームのタイミングを有することができ、ならびにサブフレーム０は、両方のｅＮＢに対して、おおよそ該同じ時間Ｔ0からスタートすることができる。この場合において、２つのｅＮＢのＰＣＦＩＣＨ、ＰＳＣ、ＳＳＣ、およびＰＢＣＨは、（図３に示されるように）時間において整列されることができ、そして複数の該ＵＥにおいてお互いに干渉し得る。
【００２２】
無線ネットワーク１００は、例えば、複数のマクロｅＮＢ、複数のピコｅＮＢ、複数のフェムトｅＮＢ等の異なるタイプの複数のｅＮＢを備えた異種ネットワークであることができる。これらの異なるタイプの複数のｅＮＢは、異なるパワーレベルで送信し、異なるカバレッジのエリアを持ち、ならびに無線ネットワークにおける干渉上に異なる影響を与えることができる。
【００２３】
ＵＥは、マルチプルな複数のｅＮＢの該カバレッジ内にあることができる。これらのｅＮＢのうちの１つは、該ＵＥをサービスするために選択されることができる。該サービスするｅＮＢは、信号対雑音比（ＳＮＲ）、パスの損失（pathloss）等のような様々な基準に基づいて選択されることができる。
【００２４】
該ＵＥは、該ＵＥが1つまたは複数の干渉するｅＮＢからの高い干渉を観測することができる支配的な干渉のシナリオにおいて作動することができる。支配的な干渉のシナリオは、範囲の拡張によって生じることができ、それは、該ＵＥがより低いパスの損失およびより低いＳＮＲを有するｅＮＢに対して接続するシナリオである。該ＵＥは、２つのｅＮＢ  ＸおよびＹから複数の信号を受信することができ、そしてｅＮＢ  ＹよりもｅＮＢ  Ｘのためにより低い受信されるパワーを保持することができる。それにも拘わらず、ｅＮＢ  Ｘに対する該パスの損失が、ｅＮＢ  Ｙに対する該パスの損失より低い場合は、該ＵＥがｅＮＢ  Ｘに接続することは望ましくあり得る。これは、ｅＮＢ  Ｙ（それはマクロｅＮＢであり得る）と比較して、ｅＮＢ  Ｘ（それはピコｅＮＢであり得る）がよりはるかに低い送信するパワーを有する場合は、そうであることができる。より低いパスの損失を有するｅＮＢ  Ｘに該ＵＥを接続させることによって、与えられたデータレート（data rate）を達成するために該ネットワークに対してより少ない干渉を引き起こすことができる。
【００２５】
支配的な干渉のシナリオはまた、制限されるアソシエーション（association）によって生じることができる。該ＵＥはｅＮＢ  Ｙの近くであることができ、そしてｅＮＢ  Ｙに対して高い受信されるパワーを有することができる。しかしながら、ｅＮＢ  Ｙは、制限されるアクセスを有することができ、および該ＵＥは、ｅＮＢ  Ｙに対して接続することを許可されないことがあり得る。該ＵＥは、その場合はより低い受信されるパワーを有する制限されないｅＮＢ  Ｘに接続することができ、またその場合はｅＮＢ  Ｙからの高い干渉を観測することができる。
【００２６】
ある観点では、複数のオーバーヘッドチャネル上の干渉は、（ｉ）重複していない複数の時間間隔において異なる複数のｅＮＢから該複数のオーバーヘッドチャネルを送信すること、および（ii）該複数のオーバーヘッドチャネルが隣の複数のｅＮＢによって伝送される該複数の時間間隔の間中に各干渉するｅＮＢがその送信するパワーを減らすようにすること、によって緩和されることができる。これは、該ＵＥが、支配的な干渉のシナリオにおいてさえ、該複数のｅＮＢから該複数のオーバーヘッドチャネルを確実に受信することを可能にすることができる。
【００２７】
１つの設計では、サブフレームのオフセットは、該複数のサブフレームのうちの幾つかだけの中で伝送される該複数のオーバーヘッドチャネル上の干渉を緩和するために使用されることができる。サブフレームのオフセットでは、ｅＮＢの該フレームのタイミングは、別のｅＮＢの該フレームのタイミングに関して複数のサブフレームの整の数だけ移動させることができる。サブフレームのオフセットは、各フレームのサブフレーム０から５の中で伝送されるＰＳＣ、ＳＳＣ、ＰＣＦＩＣＨおよび他の複数のオーバーヘッドチャネル上の干渉を緩和するために使用されることができる。
【００２８】
図４Ａは、範囲の拡張のシナリオにおける、サブフレームのオフセットを用いた複数のオーバーヘッドチャネルの送信の設計を示す。この設計では、高いパワーのｅＮＢ（例えば、マクロｅＮＢ）は、時間Ｔ１において生じるサブフレーム０の該スタートを備えた第１のフレームのタイミングを有することができる。低いパワーのｅＮＢ（例えば、ピコまたはフェムトのｅＮＢ）は、時間Ｔ２において生じるサブフレーム０の該スタートを備えた第２のフレームのタイミングを有することができる。第２のフレームのタイミングは、ＴＳＦ＿ＯＳのオフセットだけ第１のフレームのタイミングからオフセットされることができ、それは、図４Ａの中で示される例において１つのサブフレームに等しくあることができる。該低いパワーのｅＮＢの該複数のサブフレームは、従って該高いパワーのｅＮＢの該複数のサブフレームから１つのサブフレームだけ移動されることができる。例えば、該低いパワーのｅＮＢのサブフレーム０は、該高いパワーのｅＮＢのサブフレーム１と時間において整列されることができ、該低いパワーのｅＮＢのサブフレーム１は、該高いパワーのｅＮＢのサブフレーム２と時間において整列されることができる等。
【００２９】
該高いパワーのｅＮＢは、第１のフレームのタイミングに基づいて決定されるサブフレーム０と５の中でその複数のオーバーヘッドチャネルを伝送することができる。該低いパワーのｅＮＢは、よりはるかに低い送信するパワーを有することができ、および該高いパワーのｅＮＢの該複数のオーバーヘッドチャネルに対して高い干渉を引き起こすことができない。該低いパワーのｅＮＢは、サブフレーム９および４の中で送信することができ、それは該高いパワーのｅＮＢのサブフレーム０および５と重複することができる。
【００３０】
該低いパワーのｅＮＢは、第２のフレームのタイミングに基づいて決定されるサブフレーム０および５の中でその複数のオーバーヘッドチャネルを伝送することができる。該低いパワーのｅＮＢのサブフレーム０および５は、該高いパワーのｅＮＢのサブフレーム１および６と重複することができる。該高いパワーのｅＮＢは、該低いパワーのｅＮＢの該複数のオーバーヘッドチャネルに対して高い干渉を引き起こすことができ、および従って、サブフレーム１および６の中でその送信するパワー減らすことができる。その時は、該低いパワーのｅＮＢからの該複数のオーバーヘッドチャネルを受信している複数のＵＥは、高いパワーのｅＮＢからのより少ない干渉を観測することができる。
【００３１】
図４Ｂは、制限されるアソシエーションのシナリオにおけるサブフレームのオフセットを用いた複数のオーバーヘッドチャネルの送信の設計を示す。この設計では、制限されないｅＮＢ（例えば、マクロｅＮＢ）は、時間Ｔ１において生じるサブフレーム０の該スタートを備えた第１のフレームのタイミングを有することができる。第１の制限されるｅＮＢ（例えば、フェムトｅＮＢ）は、時間Ｔ２において生じるサブフレーム０の該スタートを備えた第２のフレームのタイミングを有することができる。第２の制限されるｅＮＢ（例えば、別のフェムトｅＮＢ）は、時間Ｔ３において生じるサブフレーム０の該スタートを備えた第３のフレームのタイミングを有することができる。第２のフレームのタイミングは、ＴＳＦ＿ＯＳのオフセットだけ第１のフレームのタイミングからオフセットされることができ、それは１つのサブフレームに等しくあることができる。第３のフレームのタイミングは、ＴＳＦ_ＯＳのオフセットだけ第２のフレームのタイミングからオフセットされることができる。第１の制限されるｅＮＢの該複数のサブフレームは、このように該制限されないｅＮＢの該複数のサブフレームから1つのサブフレームだけ移動されることができる。第２の制限されるｅＮＢの該複数のサブフレームもまた、第１の制限されるｅＮＢの該複数のサブフレームから１つのサブフレームだけ移動されることができる。
【００３２】
該制限されないｅＮＢは、第１のフレームのタイミングに基づいて決定されるサブフレーム０および５の中でその複数のオーバーヘッドチャネルを伝送することができる。第１および第２の制限される複数のｅＮＢは、それらの近辺（vicinity）に近いが、これらの制限される複数のｅＮＢにアクセスすることができない複数のＵＥに対して高い干渉を引き起こすことができる。これらのＵＥは、該制限されないｅＮＢに接続することができ、および該制限される複数のｅＮＢからの高い干渉を観測することができる。第１の制限されるｅＮＢは、このようにそのサブフレーム９および４の中で送信するパワーを減らすことができ、それは該制限されないｅＮＢのサブフレーム０および５と重複することができる。第２の制限されるｅＮＢは、そのサブフレーム８および３の中でその送信するパワーを減らすことができ、それは該制限されないｅＮＢのサブフレーム０および５と重複することができる。その時は、該制限されないｅＮＢから該複数のオーバーヘッドチャネルを受信している複数のＵＥは、該制限される複数のｅＮＢからのより少ない干渉を観測することができる。
【００３３】
第１の制限されるｅＮＢは、第２のフレームのタイミングに基づいて決定されるサブフレーム０および５の中でその複数のオーバーヘッドチャネルを伝送することができる。該制限されないｅＮＢは、第１の制限されるｅＮＢの該複数のオーバーヘッドチャネルに対して高い干渉を引き起こすことができず、また従ってそのサブフレーム１および６の中で送信することができ、それは第１の制限されるｅＮＢのサブフレーム０および５と重複することができる。第２の制限されるｅＮＢは、第１の制限されるｅＮＢの該複数のオーバーヘッドチャネルに対して高い干渉を引き起こすことができ、また従ってそのサブフレーム９および４の中でその送信するパワーを減らし、それは第１の制限されるｅＮＢのサブフレーム０および５と重複することができる。その時は、第１の制限されるｅＮＢからの該複数のオーバーヘッドチャネルを受信している複数のＵＥは、第２の制限されるｅＮＢからのより少ない干渉を観測することができる。
【００３４】
第２の制限されるｅＮＢは、第３のフレームのタイミングに基づいて決定されるサブフレーム０および５の中でその複数のオーバーヘッドチャネルを伝送することができる。該制限されないｅＮＢは、第２の制限されるｅＮＢの該複数のオーバーヘッドチャネルに対して高い干渉を引き起こすことができず、また従ってそのサブフレーム２および７の中で送信することができ、それは第２の制限されるｅＮＢのサブフレーム０および５と重複することができる。第１の制限されるｅＮＢは、第２の制限されるｅＮＢの該複数のオーバーヘッドチャネルに対して高い干渉を引き起こすことができ、また従ってそのサブフレーム１および６の中でその送信するパワーを減らすことができ、それは第２の制限されるｅＮＢのサブフレーム０および５と重複することができる。その時は、第２の制限されるｅＮＢからの該複数のオーバーヘッドチャネルを受信している複数のＵＥは、第１の制限されるｅＮＢからのより少ない干渉を観測することができる。
【００３５】
図４Ａおよび４Ｂは、異なる複数のｅＮＢの該フレームのタイミングが他のものから１つのサブフレームだけオフセットされる複数の設計を示す。一般に、異なる複数のｅＮＢの該フレームのタイミングは、何れの適切な量だけオフセットされることができる。例えば、該フレームのタイミングは、マルチプルな複数のサブフレームあるいはサブフレームの断片（例えば、スロット）だけオフセットされることができる。
【００３６】
別の設計では、シンボルのオフセットは、サブフレーム中の該シンボルの期間の幾つかだけにおいて伝送される複数のオーバーヘッドチャネル上の干渉を緩和するために使用されることができる。シンボルのオフセットでは、ｅＮＢの該フレームのタイミングは、別のｅＮＢの該フレームのタイミングに関して複数のシンボルの期間の整の数だけ移動されることができる。シンボルのオフセットは、各サブフレームのシンボルの期間０からＭ−１までにおいて伝送される該複数のオーバーヘッドチャネル（例えば、ＰＣＦＩＣＨ、ＰＨＩＣＨおよびＰＤＣＣＨ）の衝突を回避するために使用されることができる。シンボルのオフセットはまた、マルチキャスト・ブロードキャスト・マルチメディア・サービス（ＭＢＭＳ）単一周波数ネットワーク（ＭＢＳＦＮ）の複数のサブフレームを除く各サブフレームの指定された複数のシンボルの期間において伝送されることができるセル−特有な（cell-specific）基準信号上の干渉を避けるまたは緩和するために使用することができる。
【００３７】
図５Ａは、範囲の拡張のシナリオにおけるシンボルのオフセットを用いた複数のオーバーヘッドチャネルの送信の設計を示す。この設計では、高いパワーのｅＮＢは、時間Ｔ１において生じるサブフレーム０の該スタートを備えた第１のフレームのタイミングを有することができる。低いパワーのｅＮＢは、時間Ｔ２において生じるサブフレーム０の該スタートを備えた第２のフレームのタイミングを有することができる。第２のフレームのタイミングは、ＴＳＹＭ＿ＯＳのオフセットだけ第１のフレームのタイミングから遅らせるまたはオフセットされることができ、それは図５Ａの中の例において示される１つのシンボルの期間に等しくあることができる。あるいは、第２のフレームのタイミングは、ＴＳＹＭ＿ＯＳだけ第１のフレームのタイミングに関連して進められることができる。どちらの場合でも、該低いパワーのｅＮＢの該複数のサブフレームは、該高いパワーのｅＮＢの該複数のサブフレームから１つのシンボルの期間だけ移動されることができる。
【００３８】
図５Ａの中で示される例において、該高いパワーのｅＮＢは、第１のフレームのタイミングに基づいて決定される各サブフレームのシンボルの期間０においてオーバーヘッドチャネル（例えば、ＰＣＦＩＣＨ）を伝送することができる。該低いパワーのｅＮＢは、該高いパワーのｅＮＢの該オーバーヘッドチャネルに対して高い干渉を引き起こすことができず、また従って各サブフレームのシンボルの期間１３において送信することができ、それは該高いパワーのｅＮＢの各サブフレームのシンボルの期間０と重複することができる。
【００３９】
該低いパワーのｅＮＢは、第２のフレームのタイミングに基づいて決定される各サブフレームのシンボルの期間０においてオーバーヘッドチャネルを伝送することができ、それは該高いパワーのｅＮＢの各サブフレームのシンボルの期間１と重複することができる。該高いパワーのｅＮＢは、該低いパワーのｅＮＢの該オーバーヘッドチャネルに対して高い干渉を引き起こすことができ、また従って該低いパワーのｅＮＢに対する干渉を減らすために各サブフレームのシンボルの期間１においてその送信するパワーを減らすことができる。その時は、低いパワーのｅＮＢから該オーバーヘッドチャネルを受信している複数のＵＥは、該高いパワーのｅＮＢからのより少ない干渉を観測することができる。該高いパワーのｅＮＢは、各サブフレームの該残りの複数のシンボルの期間において名目上のパワーレベルで送信することができる。あるいは、該高いパワーのｅＮＢは、該低いパワーのｅＮＢからの基準信号および／またはデータのチャネルに対する干渉を減らすようにサブフレームの該残りに対してその送信するパワーを減らすことができる。
【００４０】
図５Ｂは、制限されるアソシエーションのシナリオにおけるシンボルのオフセットを用いた複数のオーバーヘッドチャネルの送信の設計を示す。この設計では、制限されないｅＮＢは、時間Ｔ１において生じるサブフレーム０の該スタートを備えた第１のフレームのタイミングを有することができる。第１の制限されるｅＮＢは、時間Ｔ２において生じるサブフレーム０の該スタートを備えた第２のフレームのタイミングを有することができる。第２の制限されるｅＮＢは、時間Ｔ３において生じるサブフレーム０の該スタートを備えた第３のフレームのタイミングを有することができる。第２のフレームのタイミングは、ＴＳＹＭ＿ＯＳのオフセットだけ第１のフレームのタイミングからオフセットされることができ、それは１つのシンボルの期間と等しくあることができる。第３のフレームのタイミングは、ＴＳＹＭ＿ＯＳのオフセットだけ第２のフレームのタイミングからオフセットされることができる。第２の制限されるｅＮＢの該複数のサブフレームは、従って第１の制限されるｅＮＢの該複数のサブフレームから１つのシンボルの期間だけ移動されることができ、それは該制限されないｅＮＢの該複数のサブフレームから１つのシンボルの期間だけ移動されることができる。
【００４１】
該制限されないｅＮＢは、第１のフレームのタイミングに基づいて決定される各サブフレームのシンボルの期間０においてオーバーヘッドチャネルを伝送することができる。第１および第２の制限される複数のｅＮＢは、それらの近辺の近くに配置されるが、該制限される複数のｅＮＢにアクセスできないことにより、制限されないｅＮＢに接続される複数のＵＥに対して高い干渉を引き起こすことができる。第１の制限されるｅＮＢは、従って各サブフレームのシンボルの期間１３においてその送信するパワーを減らすことができる。第２の制限されるｅＮＢは、各サブフレームのシンボルの期間１２においてその送信するパワーを減らすことができる。その時は、該制限されないｅＮＢから該オーバーヘッドチャネルを受信している複数のＵＥは、該制限される複数のｅＮＢからのより少ない干渉を観測することができる。
【００４２】
第１の制限されるｅＮＢは、第２のフレームのタイミングに基づいて決定される各サブフレームのシンボルの期間０においてオーバーヘッドチャネルを伝送することができる。該制限されないｅＮＢは、第１の制限されるｅＮＢの該オーバーヘッドチャネルに対して高い干渉を引き起こすことができず、また従って各サブフレームのシンボルの期間１において伝送することができる。第２の制限されるｅＮＢは、第１の制限されるｅＮＢの該オーバーヘッドチャネルに対して高い干渉を引き起こすことができ、また従って各サブフレームのシンボルの期間１３においてその送信するパワーを減らすことができる。その時は、第１の制限されるｅＮＢから該オーバーヘッドチャネルを受信している複数のＵＥは、第２の制限されるｅＮＢからのより少ない干渉を観測することができる。
【００４３】
第２の制限されるｅＮＢは、第３のフレームのタイミングに基づいて決定される各サブフレームのシンボルの期間０においてオーバーヘッドチャネルを送信することができる。該制限されないｅＮＢは、第２の制限されるｅＮＢの該オーバーヘッドチャネルに対して高い干渉を引き起こすことができず、また従って各サブフレームのシンボルの期間２において送信することができる。第１の制限されるｅＮＢは、第２の制限されるｅＮＢの該オーバーヘッドチャネルに対して高い干渉を引き起こすことができ、また従って各サブフレームのシンボルの期間１においてその送信するパワーを減らすことができる。その時は、第２の制限されるｅＮＢから該オーバーヘッドチャネルを受信している複数のＵＥは、第１の制限されるｅＮＢからのより少ない干渉を観測することができる。
【００４４】
図５Ａおよび５Ｂは、異なる複数のｅＮＢの該フレームのタイミングが１つの他のものからの１つのシンボルの期間だけオフセットされる複数の設計を示す。一般に、異なる複数のｅＮＢの該フレームのタイミングは、該（複数の）オーバーヘッドチャネル上の干渉を回避するために、何れの適切な量だけオフセットされることができる。例えば、該フレームのタイミングは、該（複数の）オーバーヘッドチャネルがＭのシンボルの期間において伝送される場合は、Ｍのシンボルの期間だけオフセットされることができる。
【００４５】
まだ別の設計では、シンボルのオフセットおよびサブフレームのオフセットの組み合わせは、複数のオーバーヘッドチャネル上の干渉を緩和するために使用されることができる。サブフレームのオフセットは、ある複数のサブフレーム中で伝送される複数のオーバーヘッドチャネル上の干渉を緩和するために使用されることができる。シンボルのオフセットは、サブフレームのある複数のシンボルの期間において伝送される複数のオーバーヘッドチャネル上の干渉を緩和するために使用されることができる。
【００４６】
図６は、サブフレームのオフセットとシンボルのオフセットを用いた複数のオーバーヘッドチャネルの送信の設計を示す。この設計では、高いパワーのまたは制限されるｅＮＢ
Ｙ（例えば、マクロｅＮＢまたはフェムトｅＮＢ）は、時間Ｔ１において生じるサブフレーム０の該スタートを備えた第１のフレームのタイミングを有することができる。低いパワーのまたは制限されないｅＮＢ  Ｘ（例えば、ピコｅＮＢ）は、時間Ｔ２において生じるサブフレーム０の該スタートを備えた第２のフレームのタイミングを有することができる。第２のフレームのタイミングは、ＴＯＳのオフセットだけ第１のフレームのタイミングからオフセットされることができ、それは図６に示される例において１つのサブフレームに１つのシンボルの期間を加えたものに等しくあることができる。
【００４７】
図６に示される例において、ｅＮＢ  Ｙは、各サブフレームのシンボルの期間０においてオーバーヘッドチャネル（例えば、ＰＣＦＩＣＨ）を伝送することができ、ならびに第１のフレームのタイミングに基づいて決定されるサブフレーム０および５の中で他の複数のオーバーヘッドチャネル（例えば、ＰＳＣ、ＳＳＣおよびＰＢＣＨ）を伝送することができる。ｅＮＢ  Ｘは、ｅＮＢ  Ｙの該複数のオーバーヘッドチャネルに対して高い干渉を引き起こすことができず、また従ってｅＮＢ  Ｙが該複数のオーバーヘッドチャネルを伝送する該複数の時間間隔の間中に送信することができる。
【００４８】
ｅＮＢ  Ｘは、各サブフレームのシンボルの期間０においてオーバーヘッドチャネルを伝送することができ、そして第２のフレームのタイミングに基づいて決定されるサブフレーム０および５の中で他の複数のオーバーヘッドチャネルを伝送することができる。ｅＮＢ  Ｙは、ｅＮＢ  Ｘの該複数のオーバーヘッドチャネルに対して高い干渉を引き起こすことができ、また従ってｅＮＢ  Ｘが該複数のオーバーヘッドチャネルを伝送するところの該複数の時間間隔の間中に、その送信するパワーを減らすことができる。その時は、ｅＮＢ  Ｘから該オーバーヘッドチャネルを受信している複数のＵＥは、ｅＮＢ  Ｙからのより少ない干渉を観測することができる。
【００４９】
一般に、異なる複数のｅＮＢは、サブフレームのオフセットだけ（例えば、図４Ａあるいは４Ｂの中で示されるように）、またはシンボルのオフセットだけ（例えば、図５Ａあるいは５Ｂの中で示されるように）、またはサブフレームのオフセットとシンボルのオフセットの両方（例えば、図６に示されるように）、または何か他のフレームのタイミングのオフセットを利用することができる。異なる複数のｅＮＢの間の該フレームのタイミングのオフセットは、高い干渉が観測されるかどうか、複数のオーバーヘッドチャネルが送信される該複数の時間間隔（例えば、該複数のシンボルの期間および複数のサブフレーム）等、に基づいて決定されることができる。該フレームのタイミングのオフセットは、例えば、該バックホールを介して、該影響される複数のｅＮＢへ運ばれることができ、ならびに何れの持続期間に対しても適用可能であることができる。
【００５０】
図４Ａ、４Ｂおよび６における複数の設計は、ＬＴＥの複数の標準を修正することを必要とせずに、サブフレーム０および５の中で、各ｅＮＢからの該複数のオーバーヘッドチャネル（例えば、ＰＳＣ、ＳＳＣおよびＰＢＣＨ）の受信を可能にすることができる。図５Ａ、５Ｂおよび６における複数の設計は、ＬＴＥの複数の標準を修正することを必要とせずに、各サブフレームのシンボルの期間０からＭ−１までにおいて各ｅＮＢから該オーバーヘッドチャネル（例えば、ＰＣＦＩＣＨ）の受信を可能にすることができる。図４Ａ、５Ａおよび６における複数の設計はまた、高い干渉を引き起こしている高いパワーのｅＮＢが存在する状態において、低いＳＮＲを有する低いパワーのｅＮＢに対してＵＥが接続することを可能にすることができる。図４Ｂ、５Ｂおよび６における複数の設計は、制限されるｅＮＢの近くに配置されるＵＥに、他の制限される複数のｅＮＢおよび制限されないｅＮＢからの複数のオーバーヘッドチャネル（例えば、ＰＳＣ、ＳＳＣ、ＰＢＣＨおよびＰＣＦＩＣＨ）を取得することを可能にすることができる。
【００５１】
まだ別の設計では、異なる複数のｅＮＢは、該同じフレームのタイミングを有することができるが、該複数のオーバーヘッドチャネル上の干渉を回避するために、時分割多重化方式（ＴＤＭ）を用いて、異なる複数のシンボルの期間においてそれらの複数のオーバーヘッドチャネルを伝送することができる。干渉するｅＮＢはまた、該複数のオーバーヘッドチャネル上の干渉を緩和するためにその送信するパワーを減らすことができる。
【００５２】
図７は、ＴＤＭを用いた複数のオーバーヘッドチャネルの送信を示す。この設計では、高いパワーのまたは制御されるｅＮＢ  Ｙは、サブフレームのシンボルの期間０および１においてその（複数の）オーバーヘッドチャネルを伝送することができる。低いパワーのまたは制限されないｅＮＢ  Ｘは、（ｉ）シンボルの期間０および１においてその送信するパワーを減らすこと、または、（ii）ｅＮＢ  Ｙの該（複数の）オーバーヘッドチャネルに対してそれが高い干渉を引き起こさない場合は、シンボルの期間０および１の間中に送信すること、ができる。ｅＮＢ  Ｘは、該サブフレームのシンボルの期間２においてその（複数の）オーバーヘッドチャネルを伝送することができる。ｅＮＢ  Ｙは、ｅＮＢ  Ｘの該（複数の）オーバーヘッドチャネルに対して高い干渉を引き起こすことができ、また従ってシンボルの期間２においてその送信するパワーを減らすことができる。複数のＵＥは、より少ない干渉と共にｅＮＢ  ＸおよびＹの該複数のオーバーヘッドチャネルを受信することを可能にすることができる。該サブフレーム中の残りの複数のシンボルの期間は、該複数のｅＮＢによって引き起こされる干渉の量に依存して、ｅＮＢ  Ｙおよび／またはｅＮＢ  Ｘによるデータの送信のために使用されることができる。
【００５３】
一般に、各ｅＮＢは、その複数のオーバーヘッドチャネルを伝送するために何れの数の複数のシンボルの期間を割り当てられることができる。複数のシンボルの期間の該数は、該複数のオーバーヘッドチャネルの中で送信するための情報の量、該システムの帯域幅、該望ましいカバレッジ等、に基づいて決定されることができる。異なる複数のｅＮＢは、例えば図７に示されるように、それらの複数のオーバーヘッドチャネルが時間において重複しないように異なる複数のシンボルの期間を割り当てられることができる。
【００５４】
１つの設計では、該複数のｅＮＢに割り当てられた該複数のシンボルの期間は、制御フォーマットのインディケータ（ＣＦＩ）を介して運ばれることができる。異なるＣＦＩの複数の値は、複数のオーバーヘッドチャネルに対して使用するための複数のシンボルの期間の異なる複数のセットのために定義されることができる。例えば、ＣＦＩの値は、ｅＮＢによって複数のオーバーヘッドチャネルに対して使用するための複数のシンボルの期間の該数と同様に、該スタートするシンボルの期間を指定することができる。異なる複数のｅＮＢのために割り当てられる複数のシンボルの期間（または、ＣＦＩの複数の値）は、例えば、該バックホールを介して伝送されることができる。
【００５５】
該複数のオーバーヘッドチャネルの展望からは、異なる複数のｅＮＢからの該複数のオーバーヘッドチャネルのための異なる複数のシンボルの期間および該同じフレームのタイミングを用いた図７における設計は、該複数のオーバーヘッドチャネルのための同じシンボルの期間および異なるフレームのタイミングを用いた図５Ａおよび５Ｂにおける複数の設計に同等であることができる。従って、ｅＮＢ  Ｘの該フレームのタイミングは、図７におけるｅＮＢ  Ｙの該フレームのタイミングよりも２つのシンボルの期間遅くなると考えられることができる。しかしながら、ネットワークのオペレーションの他の複数の観点は、該同じあるいは異なるフレームのタイミングが該複数のｅＮＢのために使用されるかどうかに依存して異なることができる。例えば、ある複数の送信は、サブフレーム０の該スタートに関連して与えられる特定の複数の時間間隔において伝送されることができる。これらの送信は、異なる複数の時間に伝送されることができ、および該複数のｅＮＢに対して該同じまたは異なるフレームのタイミングが使用されるかどうかに依存して重複できるあるいはできない。ＴＤＭでは、ｅＮＢ  Ｘの該複数のオーバーヘッドチャネル（例えば、ＰＣＦＩＣＨ）は、サブフレーム０および５の中でｅＮＢ  Ｙの該複数のオーバーヘッドチャネル（例えば、ＰＳＣ、ＳＳＣおよび／またはＰＢＣＨ）と衝突することができる。この場合は、サブフレーム０および５は、ｅＮＢ  Ｙのために予約されることができ、およびｅＮＢ  Ｘは、ｅＮＢ  Ｙの該複数のオーバーヘッドチャネルに対して干渉を引き起こすことを回避するために、これらのサブフレームの中で該複数のオーバーヘッドチャネルを伝送することをスキップすることができる。
【００５６】
無線ネットワーク１００は、該ダウンリンク上に直交周波数分割多重（ＯＦＤＭ）を利用することができる。ＯＦＤＭは、マルチプルな（Ｋ）の直交の複数のサブキャリアに該システムの帯域幅を分割し、それらはまた、一般にトーン（tones）、ビン(bins)等として称される。各サブキャリアは、データで変調されることができる。隣接する複数のサブキャリア間の該スペーシングは、固定されることができ、また複数のサブキャリアの該総数（Ｋ）は、該システムの帯域幅に依存することができる。例えば、Ｋは、１．２５、２．５、５、１０あるいは２０ＭＨｚのシステムの帯域幅に対して、それぞれ１２８、２５６、５１２、１０２４あるいは２０４８に等しくあることができる。
【００５７】
ｅＮＢは、ＯＦＤＭを使用しているシンボルの期間において、該Ｋの全サブキャリアのサブセットあるいは全部の上に１つまたは複数のオーバーヘッドチャネルを伝送することができる。該ｅＮＢは、該（複数の）オーバーヘッドチャネルのために使用されない該残りの複数のサブキャリアにおいて、他の情報を伝送することができるまたはできない。異なる複数のｅＮＢは、（ｉ）重複していない複数の時間間隔において複数のオーバーヘッドチャネルを伝送すること、および（ii）他の複数の時間間隔において同時に他の複数の送信を伝送すること、ができる。これらのｅＮＢは、このようにＴＤＭＡネットワークにおける複数の基地局とは異なる仕方において伝送することができ、それは上記のパート（ii）ではなく、パート（ｉ）を行なうことができる。
【００５８】
図４Ａから７までは、複数のオーバーヘッドチャネル上の干渉を緩和する複数のサンプルの設計を示す。干渉の緩和はまた、他の複数の仕方において行われることができる。
【００５９】
ここに記述される該複数の技術は、コントロール−オン−コントロールの干渉（control-on-control interference）を緩和することができ、それは隣の複数のｅＮＢからの複数のオーバーヘッドチャネルによる、ｅＮＢからのオーバーヘッドチャネル上の干渉である。特に、コントロール−オン−コントロールの干渉は、隣接する複数のｅＮＢの該複数のオーバーヘッドチャネルが重複していない複数の時間間隔において伝送されるように各ｅＮＢの該フレームのタイミングをオフセットすることによって回避されることができる。異なる複数のｅＮＢの該複数のオーバーヘッドチャネルが重複しないことは、図４Ａおよび４Ｂにおけるサブフレームのオフセット、図５Ａおよび５Ｂにおけるシンボルのオフセット、図６におけるサブフレームのオフセットとシンボルのオフセットの両方、または図７におけるＴＤＭを用いて成し遂げられることができる。複数のオーバーヘッドチャネルが重複しないことはまた、他の複数の仕方において成し遂げられることができる。
【００６０】
ここに記述される複数の技術はまた、データ−オン−コントロールの干渉（data-on-control interference）を緩和することができ、それは隣の複数のｅＮＢからのデータによる、ｅＮＢからのオーバーヘッドチャネル上の干渉である。特に、データ−オン−コントロールの干渉は、例えば、図４Ａから７までに示されるように、隣の複数のｅＮＢがそれらのオーバーヘッドチャネルを伝送するところの複数の時間間隔において、各干渉するｅＮＢに、その送信するパワーを減らさせることにより緩和されることができる。高い干渉を引き起こさない複数のｅＮＢは、それらの送信するパワーを減らすための必要性をなしにできる。
【００６１】
干渉するｅＮＢは、様々な仕方において、与えられた時間間隔におけるデータ−オン−コントロールの干渉を減らすことができる。第１の設計では、該ｅＮＢは、時間間隔の間中にその送信するパワーをより低いレベル、あるいはことによるとゼロに減らすことができる。第２の設計では、該ｅＮＢは、ＭＢＳＦＮのサブフレームとしてサブフレームを指定することによって干渉を減らすことができる。該ｅＮＢは、ＭＢＳＦＮのサブフレームの小部分の中で（例えば、シンボルの期間０において）制御情報のみを伝送することができ、またＭＢＳＦＮのサブフレームの該残りの部分における複数の基準信号およびデータを伝送することを回避することができる。該制御情報は、ＭＢＳＦＮサブフレームとして該サブフレームを識別することができおよび／または他の情報を提供することができる。第３の設計では、該ｅＮＢは、該時間間隔の間中にその送信するパワーを減らすことができ、および該時間間隔の間中により低いパワーまたは標準の仕方において複数の基準信号を伝送することができる。第４の設計では、該ｅＮＢは、該ｅＮＢからの高い干渉を観測している１つまたは複数のＵＥに対する干渉を減らすための仕方において、該時間間隔の間中にその送信を空間的に(spatially)操縦することができる。例えば、該ｅＮＢは、影響される（複数の）ＵＥの方向において空間のヌル（spatial null）を置くために事前コーディング（precoding）を行なうことができる。データ−オン−コントロールの干渉はまた、他の複数の仕方において緩和されることができる。該時間間隔は、他の複数のオーバーヘッドチャネルおよび／またはＰＣＦＩＣＨ、ＰＢＣＨ、ＳＳＣ、ＰＳＣの該送信の時間をカバーすることができる。
【００６２】
コントロール−オン−データの干渉（Control-on-data interference）もまた生じることができ、それは隣の複数のｅＮＢｓからの複数のオーバーヘッドチャネルによる、ｅＮＢからのデータ上の干渉である。例えば、図５Ａでは、ＵＥは、シンボルの期間１３において該低いパワーのｅＮＢからデータを受信することができ、また該高いパワーのｅＮＢの該オーバーヘッドチャネルからの高い干渉を観測することができる。コントロール−オン−データの干渉は、様々な仕方において緩和されることができる。第１の設計では、該ＵＥは、隣の複数のｅＮＢの複数のオーバーヘッドチャネルからの高い干渉を観測している複数のデータのシンボルを放棄（discard）することができる。該ＵＥは、該復号するプロセスにおいて放棄された複数のデータのシンボルに対して複数の消し跡（erasures）を挿入することができる。消し跡は、「０」または「１」であることの等しい可能性を有することができる。該挿入された消し跡は、従って該復号するプロセスにおいて、重み付けられていない該放棄された複数のデータのシンボルの中に結果として生じることができる。該ＵＥは、各シンボルの期間における干渉を見積もることができ、および該見積もられた干渉が十分に高い（例えば、高いしきい値を上回る）場合には、該シンボルの期間において受信される複数のデータのシンボルを放棄することができる。第２の設計では、ｅＮＢは、隣の複数のｅＮＢの複数のオーバーヘッドチャネルからの高い干渉を有する複数のシンボルの期間においてデータを伝送することを回避することができる。図５Ａの中の例については、該低いパワーのｅＮＢは、各サブフレームのシンボルの期間１３においてデータを伝送することを回避することができる。
【００６３】
データ−オン−データの干渉（Data-on-data interference）、それは隣の複数のｅＮＢからのデータによる、ｅＮＢからのデータ上の干渉である、もまた生じることができ、そして様々な仕方において緩和されることができる。１つの設計では、サービスするｅＮＢは、干渉する複数のｅＮＢの該データからの低い干渉を有することができる割り当てられた複数のサブフレームの中で、その複数のＵＥに対してデータを伝送することができる。例えば、図４Ａおよび５Ａの中で示されるように、該サービスするｅＮＢは、より低いパワーのｅＮＢであることができ、および該干渉する複数のｅＮＢは、高いパワーの複数のｅＮＢであることができる。例えば、図４Ｂおよび５Ｂの中で示されるように、該サービスするｅＮＢはまた、制限されないｅＮＢであることができ、および該干渉する複数のｅＮＢは、制限される複数のｅＮＢであることができる。何れの場合も、各干渉するｅＮＢは、（ｉ）これらの複数のサブフレームをＭＢＳＦＮのサブフレームに設定し、そして該複数のサブフレーム中でデータを送信しないこと、（ii）十分に低いレベルまたはことによるとゼロに該複数のサブフレーム中で送信するパワーを減らすこと、（iii）該複数のサブフレーム中で空間的な操縦を行なうこと、および／または（iv）該複数のサブフレーム中の干渉を減らすために他の行動を行なうこと、によって該割り当てられた複数のサブフレーム中の干渉を減らすことができる。該割り当てられた複数のサブフレームは、該複数のｅＮＢの間の交渉に基づいて、あるいはネットワーク制御装置によって、選択されることができる。該割り当てられた複数のサブフレームはまた、各ｅＮＢにおけるローディング（loading）、該複数のｅＮＢの間の望ましいハンドオフの境界（desired handoff boundary）、サービス品質（ＱｏＳ）の必要条件および／または該データの優先順位および／または該複数のｅＮＢによってサービスされる該複数のＵＥ等のような、様々な要素に基づいて選択されることができる。該割り当てられた複数のサブフレームは、例えば、バックホールを介して、該影響される複数のｅＮＢに運ばれることができる。
【００６４】
１つの設計では、干渉の緩和は、該複数のオーバーヘッドチャネルおよびデータのために独立して行われることができる。該複数のオーバーヘッドチャネルに対する干渉の緩和は、上に記述されるように行われることができ、および該オーバーヘッドチャネルが伝送される複数の時間間隔のみに影響することができる。これらの時間間隔は、各影響されるサブフレームの一部のみをカバーすることができる。データに対する干渉の緩和は、異なる複数のｅＮＢに対して異なる複数のサブフレームを割り当てることによっておよび／または送信するパワーを減らすことによって行われることができる。各ｅＮＢは、その割り当てられた複数のサブフレームにおいて、データの送信のためにその複数のＵＥを独立してスケジュールすることができる。データの送信をサポートするための制御情報は、スケジュールされたデータを備えた各サブフレームに対して伝送されることができ、また該複数のオーバーヘッドチャネルと同じ仕方において伝送されることができる。
【００６５】
図８は、無線通信ネットワークにおいてオーバーヘッドチャネルを受信するためのプロセス８００の設計を示す。プロセス８００は、下に記述されるように、ＵＥによって、あるいは幾つかの他のエンティティによって、行われることができる。該ＵＥは、第１の時間間隔において第１の基地局（例えば、ｅＮＢ、中継局等）からオーバーヘッドチャネルを受信することができる（ブロック８１２）。該オーバーヘッドチャネルは、主要な同期信号、副次的な同期信号、ＰＢＣＨ、ＰＣＦＩＣＨ、ＰＤＣＣＨ、ＰＨＩＣＨおよび／または他の複数のチャネルあるいは複数の信号を具備することができる。該オーバーヘッドチャネルはまた、第１の時間間隔と重複していない第２の時間間隔において第２の基地局（例えば、ｅＮＢ、中継局等）から伝送されることができる。該オーバーヘッドチャネルは、何か他の多重化の計画（multiplexing scheme）あるいはＯＦＤＭを用いて各基地局によって伝送されることができる。該ＵＥは、第１の基地局に対する情報を回復するために、第１の基地局からの該オーバーヘッドチャネルを処理することができる（ブロック８１４）。
【００６６】
第１の基地局は、第１のフレームのタイミングを有することができ、および第２の基地局は、第２のフレームのタイミングを有することができる。１つの設計では、サブフレームのオフセットについては、例えば、図４Ａまたは４Ｂにおいて示されるように、第１のフレームのタイミングは、複数のサブフレームの整の数だけ第２のフレームのタイミングからオフセットされることができる。第１および第２の複数の時間間隔は、第１および第２のフレームのタイミングに基づいて決定される該同じサブフレームのインデックス（例えば、図４Ａにおけるサブフレーム０）を有する重複していない複数のサブフレーム中に属することができる。
【００６７】
別の設計では、シンボルのオフセットについては、例えば、図５Ａおよび図５Ｂにおいて示されるように、第１のフレームのタイミングは、複数のシンボルの期間の整の数だけ第２のフレームのタイミングからオフセットされることができる。第１および第２の複数の時間間隔は、第１および第２のフレームのタイミングに基づいて決定される該同じシンボルの期間のインデックス（例えば、図５Ａにおけるシンボルの期間０）を有する重複していない複数のシンボルの期間をカバーすることができる。
【００６８】
まだ別の設計では、サブフレームのオフセットおよびシンボルのオフセットについては、図６において示されたように、第１のフレームのタイミングは、複数のシンボルの期間の整の数および複数のサブフレームの整の数だけ第２のフレームのタイミングからオフセットされることができる。第１および第２の複数の時間間隔は、第１および第２のフレームのタイミングに基づいて決定される該同じシンボルの期間のインデックス（例えば、図６におけるシンボルの期間０）を有する重複していない複数のシンボルの期間をカバーすることができる。第１および第２の複数の時間間隔はまた、第１および第２のフレームのタイミングに基づいて決定される該同じサブフレームのインデックス（例えば、図６におけるサブフレーム０）を有する重複していない複数のサブフレームに属することができる。
【００６９】
まだ別の設計では、ＴＤＭについては、図７において示されるように、第１および第２の複数の基地局は、該同じフレームのタイミングを有することができる。第１および第２の複数の時間間隔は、異なるシンボルの期間の複数のインデックスを有する重複していない複数のシンボルの期間をカバーすることができる。例えば、第１の時間間隔はシンボルの期間０および１をカバーすることができ、および第２の時間間隔は、図７におけるシンボルの期間２をカバーすることができる。第１および第２の複数の時間間隔はまた、異なるサブフレームの複数インデックスを有する重複していない複数のサブフレームに属することができる。
【００７０】
該オーバーヘッドチャネルは、各フレーム中の複数のサブフレームのサブセットにおいて第１および第２の複数の基地局によって伝送されることができる、例えば各フレームのサブフレーム０および５の中で。該オーバーヘッドチャネルはまた、各サブフレーム中の複数のシンボルの期間のサブセットにおいて第１および第２の複数の基地局によって伝送されることができる。一般に、該オーバーヘッドチャネルは、１つまたは複数の特定のサブフレーム中の１つまたは複数の特定のシンボルの期間において伝送されることができる。
【００７１】
１つのシナリオでは、第１の基地局は、第２の基地局の第２の送信するパワーレベルよりも低い第１の送信するパワーレベルを有することができる。別のシナリオでは、第１の基地局は制限されないアクセスを有することができ、および第２の基地局は制限されるアクセスを有することができる。両方のシナリオでは、第２の基地局は、第１の基地局からの該オーバーヘッドチャネルに対する干渉を減らすために、第１の時間間隔の間中にその送信するパワーを減らすことができる。あるいはまたはさらに、第１の基地局は、第２の基地局からの該オーバーヘッドチャネルに対する干渉を減らすために、第２の時間間隔の間中にその送信するパワーを減らすことができる。各基地局は、その送信するパワーを低下させること（ことによるとゼロまで）によって、該ＵＥから遠くへその送信を空間的に操縦することによって、あるいはＭＢＳＦＮのサブフレームとして、該他の基地局によって該オーバーヘッドチャネルが伝送される該時間間隔をカバーするサブフレームを設定することによって、送信するパワーを減らすことができる。
【００７２】
該ＵＥはまた、第２の時間間隔において第２の基地局から該オーバーヘッドチャネルを受信することができ、そして第２の基地局に対する情報を回復するために該オーバーヘッドチャネルを処理することができる。各基地局のために得られる情報のタイプは、該オーバーヘッドチャネルのタイプに依存することができる。例えば、該オーバーヘッドチャネルは、主要および副次的な同期信号を具備することができる。その時は、該ＵＥは、その基地局から受信された該複数の同期信号に基づいて各基地局を検出する（detect）ことができる。該オーバーヘッドチャネルはまた、ＰＢＣＨ、ＰＣＦＩＣＨ、ＰＤＣＣＨ、ＰＨＩＣＨ等を具備することができる。その時は、該ＵＥは、ブロードキャストの情報、制御情報および／または該オーバーヘッドチャネルからの他の情報を得ることができる。
【００７３】
１つの設計では、該ＵＥは、第１および第２の複数の時間間隔と重複されないことができる第３の時間間隔において第１の基地局からデータを受信することができる（ブロック８１６）。第２の基地局は、第１の基地局からの該データに対する干渉を減らすために、第３の時間間隔の間中にその送信するパワーを減らすことができる。
【００７４】
別の設計では、該ＵＥは、第３の時間間隔において第１の基地局から基準信号を受信することができる。該基準信号は、第３の時間間隔とは重複していない第４の時間間隔において第２の基地局から伝送されることができる。該ＵＥは、第１の基地局のためにチャネルの情報（例えば、チャネルの応答の見積もり、チャネルの質の見積もり等）を得るために第１の基地局からの該基準信号を処理することができる。
【００７５】
図９は、無線通信ネットワークにおいてオーバーヘッドチャネルを受信するための装置９００の設計を示す。装置９００は、該オーバーヘッドチャネルが、第１の時間間隔と重複していない第２の時間間隔において第２の基地局から伝送されている状態で、第１の時間間隔において第１の基地局からオーバーヘッドチャネルを受信するためのモジュール９１２、第１の基地局に対する情報を回復するために第１の基地局からの該オーバーヘッドチャネルを処理するためのモジュール９１４、および第２の基地局が第１の基地局からの該データに対する干渉を減らすために第３の時間間隔の間中にその送信するパワーを減らしている状態で、第１および第２の複数の時間間隔と重複していない第３の時間間隔において第１の基地局からデータを受信するためのモジュール９１６を含む。
【００７６】
図１０は、無線通信ネットワークにおいてオーバーヘッドチャネルを伝送するためのプロセス１０００の設計を示す。プロセス１０００は、下に記述されるような、第１の基地局（例えば、ｅＮＢ、中継局等）によって、あるいは幾つかの他のエンティティによって、行われることができる。第１の基地局は、第１の基地局に対する情報を具備しているオーバーヘッドチャネルを生成することができる（ブロック１０１２）。該オーバーヘッドチャネルは、上に記述された複数の信号および複数のチャネルの何れを具備することができる。第１の基地局は、第１の時間間隔において該オーバーヘッドチャネルを伝送することができる（ブロック１０１４）。該オーバーヘッドチャネルはまた、第１の時間間隔と重複されないことができる第２の時間間隔において第２の基地局（例えば、ｅＮＢ、中継局等）から伝送されることができる。
【００７７】
サブフレームのオフセットについては、例えば、図４Ａにおいて示されるように、第１および第２の複数の時間間隔は、２つの基地局のための異なるフレームのタイミングに基づいて決定される該同じサブフレームのインデックスを有する、重複していない複数のサブフレームに属することができる。シンボルのオフセットについては、図５Ａにおいて示されるように、第１および第２の複数の時間間隔は、異なるフレームのタイミングに基づいて決定される該同じシンボルの期間のインデックスを有する重複していない複数のシンボルの期間をカバーすることができる。サブフレームのオフセットおよびシンボルのオフセットについては、図６において示されるように、第１および第２の複数の時間間隔は、該同じサブフレームのインデックスを有する重複していない複数のサブフレームに属することができ、または異なるフレームのタイミングに基づいて決定される該同じシンボルの期間のインデックスを有する重複していない複数のシンボルの期間をカバーすることができる。ＴＤＭについては、図７において示されるように、第１および第２の複数の時間間隔は、該同じフレームのタイミングに基づいて決定される異なるシンボルの期間の複数のインデックスを有する重複していない複数のシンボルの期間をカバーすることができる。
【００７８】
第１の基地局は、第２の基地局からの該オーバーヘッドチャネルに対する干渉を減らすために第２の時間間隔の間中にその送信するパワーを減らすことができる（ブロック１０１６）。第１の基地局はその送信するパワーを（ことによるとゼロまで）低下させることができ、あるいは、１つまたは複数のＵＥから離れてその送信を空間的に操縦することができる。第１の基地局はまた、ＭＢＳＦＮのサブフレームとして第２の時間間隔を具備するサブフレームを設定し、該サブフレーム中のＭＢＳＦＮのサブフレームに関する制御情報を送信し、そして該サブフレーム中の残りの部分においては送信しないことができる。
【００７９】
第１の基地局は、第１および第２の複数の時間間隔と重複されないことができる第３の時間間隔において、少なくとも１つのＵＥに対してデータを伝送することができる（ブロック１０１８）。第２の基地局は、第１の基地局からのデータに対する干渉を減らすために第３の時間間隔の間中にその送信するパワーを減らすことができる。
【００８０】
図１１は、無線通信ネットワークにおいてオーバーヘッドチャネルを伝送するための装置１１００の設計を示す。装置１１００は、第１の基地局のための情報を具備するオーバーヘッドチャネルを生成するためのモジュール１１１２、該オーバーヘッドチャネルが第１の時間間隔と重複していない第２の時間間隔において第２の基地局から伝送されている状態で、第１の時間間隔において第１の基地局からオーバーヘッドチャネルを伝送するためのモジュール１１１４、第２の基地局からの該オーバーヘッドチャネルに対する干渉を減らすために第２の時間間隔の間中に第１の基地局の送信するパワーを減らすためのモジュール１１１６、および第２の基地局が第１の基地局からの該データに対する干渉を減らすために第３の時間間隔の間中に送信するパワーを減らしている状態で、第１および第２の複数の時間間隔と重複していない第３の時間間隔において第１の基地局からデータを伝送するためのモジュール１１１８、を含む。
【００８１】
図９および１１における複数のモジュールは、プロセッサ、エレクトロニクスデバイス、ハードウェアデバイス、エレクトロニクスコンポーネント、論理回路、メモリ、ソフトウェアコード、ファームウェアコード等、あるいはそれらの何れの組み合わせを含むことができる。
【００８２】
図１２は、基地局／ｅＮＢ  １１０およびＵＥ  １２０の設計あるいはブロック図を示し、それは、図１における、複数のＵＥのうちの１つ、および複数の基地局／複数のｅＮＢのうちの１つであることができる。基地局１１０は、Ｔのアンテナ１２３４ａから１２３４ｔまでを装備されることができ、およびＵＥ  １２０は、Ｒのアンテナ１２５２ａから１２５３ｒまでを装備されることができる、ここにおいて一般的にＴ≧１およびＲ≧１であるところの。
【００８３】
基地局１１０では、送信するプロセッサ１２２０は、データ送信装置１２１２から１つまたは複数のＵＥのためのデータを受信し、該データを処理し（例えば、符号化する、インターリーブする、および変調する）、そして複数のデータのシンボルを提供することができる。送信するプロセッサ１２２０はまた、制御装置／プロセッサ１２４０から複数のオーバーヘッドチャネルのための情報を受信し、該情報を処理し、そして複数のオーバーヘッドのシンボルを提供することができる。
【００８４】
送信する（ＴＸ）多入力多出力（ＭＩＭＯ：multiple-input multiple-output）のプロセッサ１２３０は、適用可能な場合は、複数のデータのシンボル、複数のオーバーヘッドのシンボル、および／または複数のパイロットのシンボル上に空間的な処理（例えば、事前コーディング）を行なうことができ、およびＴの変調器（ＭＯＤｓ）１２３２ａから１２３２ｔまでに対してＴの出力されたシンボルのストリームを提供することができる。各変調器１２３２は、出力されたサンプルのストリームを得るために、それぞれの出力されたシンボルのストリームを（例えば、ＯＦＤＭのため等に）処理することができる。各変調器１２３２は、ダウンリンクの信号を得るために該出力するサンプルのストリームを更に処理する（例えば、アナログへ変換する、増幅する、フィルタするおよびアップコンバートする）ことができる。変調器１２３２ａから１２３２ｔまでからのＴのダウンリンクの信号は、それぞれＴのアンテナ１２３４ａから１２３４ｔまでを介して送信されることができる。
【００８５】
ＵＥ  １２０では、アンテナ１２５２ａから１２５２ｒまでは、基地局１１０から該ダウンリンクの複数の信号を受信することができ、また受信された複数の信号を、それぞれ復調器（ＤＥＭＯＤｓ）１２５４ａから１２５４ｒまでに提供することができる。各復調器１２５４は、受信されたサンプルを得るために、それぞれの受信された信号を調える（例えば、フィルタする、増幅する、ダウンコンバートするおよびデジタル化する）ことができる。各復調器１２５４は、受信された複数のシンボルを得るために該受信された複数のサンプルを（例えば、ＯＤＦＭのため等に）更に処理することができる。ＭＩＭＯの検出器１２５６は、全てのＲの復調器１２５４ａから１２５４ｒまでから受信された複数のシンボルを得ること、適用可能である場合は、該受信された複数のシンボル上にＭＩＭＯの検出を行うこと、および検出された複数のシンボルを提供すること、ができる。受信するプロセッサ１２５８は、該検出された複数のシンボルを処理する（例えば、復調する、デインターリーブ（deinterleave）するおよび復号する）、データ受信装置に対してＵＥ
１２０のための復号されたデータを提供する、および該複数のオーバーヘッドチャネルに関して復号された情報を制御装置／プロセッサ１２８０へ提供することができる。
【００８６】
ＵＥ  １２０において、アップリンク上では、送信するプロセッサ１２６４は、制御装置／プロセッサ１２８０からの制御情報およびデータ送信装置１２６２からのデータを処理しならびに受信することができる。送信するプロセッサ１２６４からの該複数のシンボルは、適用可能な場合には、ＴＸ  ＭＩＭＯのプロセッサ１２６６によって事前コード化（precoded）され、変調器１２５４ａから１２５４ｒまでによって更に処理され、そして基地局１１０に対して送信されることができる。基地局１１０では、ＵＥ  １２０からの該アップリンクの複数の信号は、複数のアンテナ１２３４によって受信され、複数の復調器１２３２によって処理され、適用可能な場合にはＭＩＭＯの検出器１２３６によって検出され、そしてＵＥによって伝送される制御情報および該データを得るために受信するプロセッサ１２３８によって更に処理されることができる。
【００８７】
複数の制御装置／複数のプロセッサ１２４０および１２８０は、それぞれ基地局１１０およびＵＥ  １２０において該オペレーションを管理することができる。基地局１１０におけるプロセッサ１２４０および／または他の複数のプロセッサおよび複数のモジュールは、図１０におけるプロセス１０００および／またはここに記述される該複数の技術に関する他の複数のプロセスを、行なうあるいは導くことがきる。ＵＥ  １２０における、プロセッサ１２８０および／または他の複数のプロセッサおよび複数のモジュールは、図８におけるプロセス８００および／またはここに記述される該複数の技術に関するほかの複数のプロセスを、行なうあるいは導くことができる。メモリ１２４２および１２８２は、それぞれ基地局１１０およびＵＥ  １２０に関する複数のプログラムコードおよびデータを格納することができる。スケジューラ１２４４は、アップリンクおよびダウンリンク上のデータの送信のために複数のＵＥをスケジュールすることができ、また該スケジュールされた複数のＵＥに対して資源の複数の許可を提供することができる。
【００８８】
当業者は、情報および複数の信号が、様々な異なる科学技術および専門技術の何れを使用しても、表されることができることを理解するだろう。例えば、上記の記述の全体にわたって、参照されることができるデータ、命令、コマンド、情報、信号、ビット、記号、およびチップは、電圧、電流、電磁波、磁気のフィールドまたはパーティクル(particles)、光学のフィールドまたはパーティクル、あるいはそれらの何れの組み合わせによって、表わされることができる。
【００８９】
当業者は、ここに開示された実施形態に関連して記述された、様々な例示的な、論理ブロック（logical blocks）、モジュール、回路およびアルゴリズムのステップは、電子ハードウェア、コンピュータソフトウェア、あるいは両方の組み合わせとして、実施されることができることを、さらに評価するだろう。明白にハードウェアとソフトウェアのこの互換性を例示するために、様々な例示的な、コンポーネント、ブロック、モジュール、回路、手段およびステップは、概してそれらの機能性の点から、上に記述されている。そのような機能性が、ハードウェアまたはソフトウェアとしてインプリメントされるかどうかは、全体的なシステムに課された特定のアプリケーションおよび設計の制約に依存する。当業者は、それぞれの特定のアプリケーションに関するに多様の仕方（ways）において、該記述された機能性を実施することができるが、そのような実施の決定は、ここに開示の範囲から逸脱すると解釈されるべきでない。
【００９０】
ここに開示された実施形態に関連して記述される、様々な例示的な、論理ブロック、モジュール、および回路は、一般目的のプロセッサ、デジタル・シグナル・プロセッサ（ＤＳＰ）、特定用途向け集積回路（ＡＳＩＣ）、フィールドプログラマブル（programmable）ゲートアレー（ＦＰＧＡ）あるいは他のプログラマブル論理デバイス、個別のゲートまたはトランジスタロジック、個別のハードウェアコンポーネント、あるいはここに記述された機能を行なうために設計されたそれらの何れの組み合わせによって、実施されるまたは行われることができる。一般目的のプロセッサは、マイクロプロセッサであることができるが、該代わりにおいて、該プロセッサは、何れの従来型のプロセッサ、コントローラー、マイクロコントローラーまたはステート（state）マシンであることができる。プロセッサはまた、例えば、ＤＳＰとマイクロプロセッサの組み合わせ、複数のマイクロプロセッサ、ＤＳＰのコアと結合している１つまたは複数のマイクロプロセッサ、あるいは他の同様な構成等の、コンピューティングデバイスの組み合わせとして、実施されることができる。
【００９１】
ここに開示された実施形態に関連して記述されるアルゴリズムまたは方法の複数のステップは、ハードウェアにおいて、プロセッサによって実行されるソフトウェアモジュールにおいて、あるいは２つの組み合わせにおいて、直接具体化（embodied）されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術において知られる記憶媒体の何れの他の形式で、常駐する（reside）ことができる。典型的な記憶媒体は、該プロセッサが記憶媒体から情報を読みならびにそれに情報を書くことができるように、該プロセッサに結合されることができる。該代わりにおいて、該記憶媒体は該プロセッサに不可欠であることができる。該プロセッサと該記憶媒体は、ＡＳＩＣに常駐することができる。該ＡＳＩＣは、ユーザ端末に常駐することができる。該代わりにおいて、該プロセッサと該記憶媒体は、ユーザ端末の個別のコンポーネントとして常駐することができる。
【００９２】
１つまたは複数の例示的な設計では、記述された該複数の機能は、ハードウェア、ソフトウェア、ファームウェアあるいはそれの任意のコンビネーションにおいて実施されることができる。ソフトウェアにおいて実施される場合は、該複数の機能は、コンピュータ読み取り可能な媒体上でコードあるいは１つまたは複数の命令として送信されるあるいは格納されることができる。コンピュータ読み取り可能な媒体は、１つの場所から別の場所へのコンピュータプログラムの転送を容易にする何れの媒体を含んでいる通信媒体と、コンピュータの記憶媒体との両方を含む。記憶媒体は、一般目的のまたは専用目的のコンピュータによってアクセスされることができる何れの利用可能な記憶媒体であることができる。限定ではなく、実例の仕方によって、そのようなコンピュータ読み取り可能な媒体は、ＲＡＭ、ＲＯＭ、ＥＥＰＲＯＭ、ＣＤ−ＲＯＭまたは他の光ディスクの記憶装置、磁気ディスク記憶装置、あるいは他の磁気ディスク記憶装置のデバイス、あるいは複数のデータ構造または複数の命令の形式において望ましいプログラムコードの手段を格納するあるいは運ぶために使用されることができ、そして一般目的または専用目的のプロセッサあるいは一般目的または専用目的のコンピュータによってアクセスされることができる、何れの他の記憶媒体を具備することができる。さらに、何れの接続は、コンピュータ読み取り可能な媒体と適切に称されることができる。例えば、該ソフトウェアが、同軸ケーブル、光ファイバーケーブル、ツイストペア、デジタル加入者回線（ＤＳＬ）、あるいは赤外線、電波、およびマイクロ波のような無線技術を使用して、ウェブサイト、サーバーあるいは他のリモートのソースから送信される場合は、同軸ケーブル、光ファイバーケーブル、ツイストペア、ＤＳＬ、あるいは赤外線、電波、およびマイクロ波のような無線技術は、媒体の定義に含まれる。ここに使用されるディスク（Disk）およびディスク（disc）は、コンパクト・ディスク（ＣＤ）、レーザーディスク（登録商標）、光ディスク、ディジタルビデオディスク（ＤＶＤ）、フロッピー（登録商標）ディスクおよびブルーレイ・ディスクを含んでいる、ここにおいてディスク（disks）は、通常磁気的にデータを再生し、一方ディスク（discs）は、レーザーを用いて光学的にデータを再生する。上記の複数の組み合わせも、コンピュータ読み取り可能な媒体の範囲内に含まれるべきである。
【００９３】
本開示についての前の記述は、何れの当業者が、本開示を作るあるいは利用することができるようにするために提供される。本開示に対する様々な変更（modification）は、当業者にとっては、容易に（readily）明白であることができ、ここに定義された一般的な（generic）複数の法則は、本開示の精神または範囲から外れることなく、他のバリエーション(variation)へ応用されることができる。従って、本開示は、ここに記述される複数の例および複数の設計に制限されるようには意図されず、ここに開示される複数の法則および複数の新規の特徴と一致する最も広い範囲を与えられることになる。
以下に、本願出願の当初の特許請求の範囲に記載された発明を付記する。
［Ｃ１］
下記を具備する、無線通信のための方法：
第１の時間間隔において第１の基地局からオーバーヘッドチャネルを受信すること、前記オーバーヘッドチャネルは、前記第１の時間間隔と重複していない第２の時間間隔において第２の基地局から送信される；および
前記第１の基地局に対する情報を回復するために、前記第１の基地局からの前記オーバーヘッドチャネルを処理すること。
［Ｃ２］
更に下記を具備する、Ｃ１に記載の方法：
前記第２の時間間隔において前記第２の基地局から前記オーバーヘッドチャネルを受信すること；および
前記第２の基地局に対する情報を回復するために、前記第２の基地局からの前記オーバーヘッドチャネルを処理すること。
［Ｃ３］
Ｃ１に記載の方法、ここにおいて前記第１の基地局は、複数のサブフレームの整の数だけ前記第２の基地局の第２のフレームのタイミングからオフセットされる第１のフレームのタイミングを有する、およびここにおいて前記第１および第２の複数の時間間隔は、前記第１および第２のフレームのタイミングに基づいて決定される同じサブフレームのインデックスを有する重複していない複数のサブフレーム中に属する。
［Ｃ４］
Ｃ１に記載の方法、ここにおいて前記第１の基地局は、複数のシンボルの期間の整の数だけ前記第２の基地局の第２のフレームのタイミングからオフセットされる第１のフレームのタイミングを有する、およびここにおいて前記第１および第２の複数の時間間隔は、前記第１および第２のフレームのタイミングに基づいて決定される同じシンボルの期間のインデックスを有する重複していない複数のシンボルの期間をカバーする。
［Ｃ５］
Ｃ１に記載の方法、ここにおいて前記第１の基地局は、複数のサブフレームの整の数および複数のシンボルの期間の整の数だけ前記第２の基地局の第２のフレームのタイミングからオフセットされる第１のフレームのタイミングを有する、およびここにおいて前記第１および第２の複数の時間間隔は、前記第１および第２のフレームのタイミングに基づいて決定される同じシンボルの期間のインデックスを有する重複していない複数のシンボルの期間をカバーする。
［Ｃ６］
Ｃ１に記載の方法、ここにおいて前記第１および第２の複数の基地局は、同じフレームのタイミングを有する、およびここにおいて前記第１および第２の複数の時間間隔は、異なるシンボルの期間の複数のインデックスを有する重複していない複数のシンボルの期間をカバーする。
［Ｃ７］
Ｃ１に記載の方法、ここにおいて前記第２の基地局は、前記第１の基地局からの前記オーバーヘッドチャネルに対する干渉を減らすために、前記第１の時間間隔の間中に送信するパワーを減らす。
［Ｃ８］
Ｃ１に記載の方法、ここにおいて前記第１の基地局は、前記第２の基地局からの前記オーバーヘッドチャネルに対する干渉を減らすために、前記第２の時間間隔の間中に送信するパワーを減らす。
［Ｃ９］
Ｃ１に記載の方法、ここにおいて前記第２の基地局は、第１の時間間隔を具備するサブフレームを、マルチキャスト・ブロードキャスト・マルチメディア・サービス（ＭＢＭＳ）単一周波数ネットワーク（ＭＢＳＦＮ）のサブフレームとして設定し、前記サブフレーム中の前記ＭＢＳＦＮのサブフレームに対しては制御情報を送信し、および前記サブフレームの残りの部分においては送信しない。
［Ｃ１０］
Ｃ１に記載の方法、ここにおいて前記オーバーヘッドチャネルは、主要な同期信号、副次的な同期信号、物理的なブロードキャストのチャネル（ＰＢＣＨ）、物理的な制御のフォーマットのインディケータのチャネル（ＰＣＦＩＣＨ）、物理的なダウンリンクの制御のチャネル（ＰＤＣＣＨ）、および物理的なＨＡＲＱのインディケータのチャネル（ＰＨＩＣＨ）の内の少なくとも１つを具備する。
［Ｃ１１］
Ｃ１に記載の方法、ここにおいて前記オーバーヘッドチャネルは、各フレーム中の複数のサブフレームのサブセットにおいて、前記第１および第２の複数の基地局によって送信される。
［Ｃ１２］
Ｃ１に記載の方法、ここにおいて前記オーバーヘッドチャネルは、各サブフレーム中の複数のシンボルの期間のサブセットにおいて、前記第１および第２の複数の基地局によって送信される。
［Ｃ１３］
Ｃ１に記載の方法、ここにおいて前記オーバーヘッドチャネルは、主要の同期信号および副次的な同期信号を具備する、前記方法は更に下記を具備する：
前記第１の基地局からの前記主要および副次的な複数の同期信号に基づいて前記第１の基地局を検出すること；および
前記第２の基地局からの前記主要および副次的な複数の同期信号に基づいて前記第２の基地局を検出すること。
［Ｃ１４］
更に下記を具備するＣ１に記載の方法：
第３の時間間隔において前記第１の基地局から基準信号を受信すること、前記基準信号は、前記第３の時間間隔とは重複していない第４の時間間隔において前記第２の基地局から送信される；および
前記第１の基地局に対するチャネルの情報を得るために、前記第１の基地局からの前記基準信号を処理すること。
［Ｃ１５］
Ｃ１に記載の方法、ここにおいて前記第１の基地局は、前記第２の基地局の第２の送信するパワーレベルよりも低い第１の送信するパワーレベルを有する。
［Ｃ１６］
Ｃ１に記載の方法、ここにおいて前記第１の基地局は制限されないアクセスを有し、前記第２の基地局は制限されるアクセスを有する。
［Ｃ１７］
更に下記を具備するＣ１に記載の方法：
前記第１および第２の複数の時間間隔と重複していない第３の時間間隔において前記第１の基地局からデータを受信すること、ここにおいて前記第２の基地局は、前記第１の基地局からの前記データに対する干渉を減らすために、前記第３の時間間隔の間中に送信するパワーを減らす。
［Ｃ１８］
下記を具備する、無線通信のための装置：
第１の時間間隔において第１の基地局からオーバーヘッドチャネルを受信するための手段、前記オーバーヘッドチャネルは、前記第１の時間間隔と重複していない第２の時間間隔において第２の基地局から送信されている；および
前記第１の基地局に対する情報を回復するために、前記第１の基地局からの前記オーバーヘッドチャネルを処理するための手段。
［Ｃ１９］
Ｃ１８に記載の装置、ここにおいて前記第１の基地局は、複数のサブフレームの整の数だけ前記第２の基地局の第２のフレームのタイミングからオフセットされる第１のフレームのタイミングを有する、およびここにおいて前記第１および第２の複数の時間間隔は、前記第１および第２のフレームのタイミングに基づいて決定される同じサブフレームのインデックスを有する重複していない複数のサブフレーム中に属する。
［Ｃ２０］
Ｃ１８に記載の装置、ここにおいて前記第１の基地局は、複数のシンボルの期間の整の数だけ前記第２の基地局の第２のフレームのタイミングからオフセットされる第１のフレームのタイミングを有する、およびここにおいて前記第１および第２の複数の時間間隔は、前記第１および第２のフレームのタイミングに基づいて決定される同じシンボルの期間のインデックスを有する重複していない複数のシンボルの期間をカバーする。
［Ｃ２１］
Ｃ１８に記載の装置、ここにおいて前記第１および第２の複数の基地局は、同じフレームのタイミングを有する、およびここにおいて前記第１および第２の複数の時間間隔は、異なるシンボルの期間の複数のインデックスを有する重複していない複数のシンボルの期間をカバーする。
［Ｃ２２］
更に下記を具備する、Ｃ１８に記載の装置：
前記第１および第２の複数の時間間隔と重複していない第３の時間間隔において前記第１の基地局からデータを受信するための手段、ここにおいて前記第２の基地局は、前記第１の基地局からの前記データに対する干渉を減らすために、前記第３の時間間隔の間中に送信するパワーを減らす。
［Ｃ２３］
下記を具備する、無線通信のための装置：
第１の時間間隔において第１の基地局からオーバーヘッドチャネルを受信するように、および前記第１の基地局に対する情報を回復するために前記第１の基地局からの前記オーバーヘッドチャネルを処理するように、構成される少なくとも１つのプロセッサ、ここにおいて前記オーバーヘッドチャネルは、前記第１の時間間隔と重複していない第２の時間間隔において第２の基地局から送信される。
［Ｃ２４］
Ｃ２３に記載の装置、ここにおいて前記第１の基地局は、複数のサブフレームの整の数だけ前記第２の基地局の第２のフレームのタイミングからオフセットされる第１のフレームのタイミングを有する、およびここにおいて前記第１および第２の複数の時間間隔は、前記第１および第２のフレームのタイミングに基づいて決定される同じサブフレームのインデックスを有する重複していない複数のサブフレーム中に属する。
［Ｃ２５］
Ｃ２３に記載の装置、ここにおいて前記第１の基地局は、複数のシンボルの期間の整の数だけ前記第２の基地局の第２のフレームのタイミングからオフセットされる第１のフレームのタイミングを有する、およびここにおいて前記第１および第２の複数の時間間隔は、前記第１および第２のフレームのタイミングに基づいて決定される同じシンボルの期間のインデックスを有する重複していない複数のシンボルの期間をカバーする。
［Ｃ２６］
Ｃ２３に記載の装置、ここにおいて前記第１および第２の複数の基地局は、同じフレームのタイミングを有する、およびここにおいて前記第１および第２の複数の時間間隔は、異なるシンボルの期間の複数のインデックスを有する重複していない複数のシンボルの期間をカバーする。
［Ｃ２７］
Ｃ２３に記載の装置、ここにおいて前記少なくとも１つのプロセッサは、前記第１および第２の複数の時間間隔と重複していない第３の時間間隔において前記第１の基地局からデータを受信するように構成される、およびここにおいて前記第２の基地局は、前記第１の基地局からの前記データに対する干渉を減らすために前記第３の時間間隔の間中に送信するパワーを減らす。
［Ｃ２８］
下記を具備する、コンピュータプログラム製品：
コンピュータ読み取り可能な媒体、前記媒体は下記を具備する：
少なくとも１つのコンピュータに、第１の時間間隔において第１の基地局からオーバーヘッドチャネルを受信させるためのコード、前記オーバーヘッドチャネルは、前記第１の時間間隔と重複していない第２の時間間隔において第２の基地局から送信されている、および
少なくとも１つのコンピュータに、前記第１の基地局に対する情報を回復するために、前記第１の基地局からの前記オーバーヘッドチャネルを処理させるためのコード。
［Ｃ２９］
下記を具備する、無線通信のための方法：
第１の基地局に対する情報を具備しているオーバーヘッドチャネルを生成すること；および
第１の時間間隔において前記第１の基地局から前記オーバーヘッドチャネルを送信すること、前記オーバーヘッドチャネルは、前記第１の時間間隔と重複していない第２の時間間隔において第２の基地局から送信されている。
［Ｃ３０］
Ｃ２９に記載の方法、ここにおいて前記第１の基地局は、複数のサブフレームの整の数だけ前記第２の基地局の第２のフレームのタイミングからオフセットされる第１のフレームのタイミングを有する、およびここにおいて前記第１および第２の複数の時間間隔は、前記第１および第２のフレームのタイミングに基づいて決定される同じサブフレームのインデックスを有する重複していない複数のサブフレーム中に属する。
［Ｃ３１］
Ｃ２９に記載の方法、ここにおいて前記第１の基地局は、複数のシンボルの期間の整の数だけ前記第２の基地局の第２のフレームのタイミングからオフセットされる第１のフレームのタイミングを有する、およびここにおいて前記第１および第２の複数の時間間隔は、前記第１および第２のフレームのタイミングに基づいて決定される同じシンボルの期間のインデックスを有する重複していない複数のシンボルの期間をカバーする。
［Ｃ３２］
Ｃ２９に記載の方法、ここにおいて前記第１および第２の複数の基地局は、同じフレームのタイミングを有する、およびここにおいて前記第１および第２の複数の時間間隔は、異なるシンボルの期間の複数のインデックスを有する重複していない複数のシンボルの期間をカバーする。
［Ｃ３３］
更に下記を具備する、Ｃ２９に記載の方法：
前記第２の基地局からの前記オーバーヘッドチャネルに対する干渉を減らすために、前記第２の時間間隔の間中に前記第１の基地局の送信するパワーを減らすこと。
［Ｃ３４］
更に下記を具備する、Ｃ２９に記載の方法：
前記第２の時間間隔を具備するサブフレームを、マルチキャスト・ブロードキャスト・マルチメディア・サービス（ＭＢＭＳ）単一周波数ネットワーク（ＭＢＳＦＮ）のサブフレームとして設定すること；
前記サブフレーム中の前記ＭＢＳＦＮのサブフレームに対して制御情報を送信すること；および
前記サブフレームの残りの部分においては送信しないこと。
［Ｃ３５］
Ｃ２９に記載の方法、ここにおいて前記オーバーヘッドチャネルは、主要な同期信号、副次的な同期信号、物理的なブロードキャストのチャネル（ＰＢＣＨ）、物理的な制御のフォーマットのインディケータのチャネル（ＰＣＦＩＣＨ）、物理的なダウンリンクの制御のチャネル（ＰＤＣＣＨ）、および物理的なＨＡＲＱインディケータのチャネル（ＰＨＩＣＨ）の内の少なくとも１つを具備する。
［Ｃ３６］
更に下記を具備する、Ｃ２９に記載の方法：
前記第１および第２の複数の時間間隔と重複していない第３の時間間隔において前記第１の基地局からデータを送信すること、ここにおいて前記第２の基地局は、前記第１の基地局からの前記データに対する干渉を減らすために、前記第３の時間間隔の間中に送信するパワーを減らす。
［Ｃ３７］
下記を具備する、無線通信のための装置：
第１の基地局に対する情報を具備しているオーバーヘッドチャネルを生成するための手段；および
第１の時間間隔において前記第１の基地局から前記オーバーヘッドチャネルを送信するための手段、前記オーバーヘッドチャネルは、前記第１の時間間隔と重複していない第２の時間間隔において第２の基地局から送信されている。
［Ｃ３８］
更に下記を具備する、Ｃ３７に記載の装置：
前記第２の基地局からの前記オーバーヘッドチャネルに対する干渉を減らすために、前記第２の時間間隔の間中に前記第１の基地局の送信するパワーを減らすための手段。
［Ｃ３９］
更に下記を具備する、Ｃ３７に記載の装置：
前記第１および第２の複数の時間間隔と重複していない第３の時間間隔において前記第１の基地局からデータを送信するための手段、ここにおいて前記第２の基地局は、前記第１の基地局からの前記データに対する干渉を減らすために、前記第３の時間間隔の間中に送信するパワーを減らす。
【図１】
0005996614.tif 000002
【図２】
0005996614.tif 000003
【図３】
0005996614.tif 000004
【図８】
0005996614.tif 000005
【図９】
0005996614.tif 000006
【図１０】
0005996614.tif 000007
【図１１】
0005996614.tif 000008
【図１２】
0005996614.tif 000009
【図４Ａ】
0005996614.tif 000010
【図４Ｂ】
0005996614.tif 000011
【図５Ａ】
0005996614.tif 000012
【図５Ｂ】
0005996614.tif 000013
【図６】
0005996614.tif 000014
【図７】
0005996614.tif 000015